(57)【要約】【課題】簡易かつ廉価に含オゾン酸素微細気泡含有水を生成することができるオゾン微細気泡含有水生成装置及びオゾン微細気泡含有水生成方法を提供する。【解決手段】水を貯留する貯留槽１０と、水を電気分解してオゾンを発生させる複数の板状の電解素子２１及び各電解素子２１に直流電圧を印加する直流電源装置２６を有する水電解式オゾン発生手段２０と、貯留槽１０に貯留された水に振動を印加する振動子３１及びこの振動子３１に連続波の交流信号を印加する発振装置３３を有する振動印加手段３０とを備えており、電解素子２１に直流電圧を印加することで、水電解式オゾン発生手段２０がオゾンを発生させながら、または、オゾンを発生させた後、強度が８．５６×１０１２[Ｗ／ｍ２]以上の振動を振動印加手段３０が水に印加するようになっている。【選択図】        図１
2020179667.tif 000002
【特許請求の範囲】
【請求項１】
直径がナノオーダーの微細気泡の含有水を生成する微細気泡含有水生成装置であって、
水を貯留する貯留部と、
直流電圧を印加することで、水を電気分解して（酸素及び水素）または（含オゾン酸素及び水素）を発生させる、陽極と陰極との間に固体高分子電解質膜が挟み込まれた電解素子と、
前記貯留部に貯留された水に振動を印加する振動子と
を備え、
前記貯留部に貯留された水に浸漬した前記電解素子によって（酸素及び水素）若しくは（含オゾン酸素及び水素）を発生させながら、または、（酸素及び水素）若しくは（含オゾン酸素及び水素）を発生させた後、前記振動子が下式（１）を満足する振動を水に印加することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記陽極側貯留部内の貯留水に振動を印加する陽極側振動子と
を備え、
前記陽極側貯留部の貯留水中に、前記電解素子によって、酸素若しくは含オゾン酸素を発生させながら、または、酸素若しくは含オゾン酸素を発生させた後に、前記陽極側振動子が下式（１）を満足する振動を、前記陽極側貯留部内の貯留水に印加することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項４】
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加する請求項２に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項５】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路における前記電解素子近傍に設置された、前記流水路中の流水に振動を印加する振動子と
を備え、
前記電解素子によって前記流水路の流水中に（酸素及び水素）若しくは（含オゾン酸素及び水素）を発生させながら、その流水に前記振動子が下式（１）を満足する振動を印加する、または、前記電解素子によって前記流水路の流水中に（酸素及び水素）若しくは（含オゾン酸素及び水素）を発生させた後、その流水に前記振動子が下式（１）を満足する振動を印加する、または、前記振動子が下式（１）を満足する振動を前記流水路の流水に印加した後、その振動が印加された流水中に前記電解素子によって（酸素及び水素）若しくは（含オゾン酸素及び水素）を発生させることを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項６】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路を流れる流水を乱流化する乱流化手段と
を備え、
前記電解素子によって前記流水路の流水中に（酸素及び水素）若しくは（含オゾン酸素及び水素）を発生させながら、その流水を前記乱流化手段が乱流化する、または、前記電解素子によって前記流水路の流水中に（酸素及び水素）若しくは（含オゾン酸素及び水素）を発生させた後、その流水を前記乱流化手段が乱流化する、または、前記乱流化手段が前記流水路の流水を乱流化した後、その乱流化された流水中に前記電解素子によって（酸素及び水素）若しくは（含オゾン酸素及び水素）を発生させることを特徴とする微細気泡含有水生成装置。
【請求項７】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路を流れる流水を渦流化する渦流化手段と
を備え、
前記電解素子によって前記流水路の流水中に（酸素及び水素）若しくは（含オゾン酸素及び水素）を発生させながら、その流水を前記渦流化手段が渦流化する、または、前記電解素子によって前記流水路の流水中に（酸素及び水素）若しくは（含オゾン酸素及び水素）を発生させた後、その流水を前記渦流化手段が渦流化する、または、前記渦流化手段が前記流水路の流水を渦流化した後、その渦流化された流水中に前記電解素子によって（酸素及び水素）若しくは（含オゾン酸素及び水素）を発生させることを特徴とする微細気泡含有水生成装置。
【請求項８】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路における陽極近傍に設置された、前記陽極側流水路中の流水に振動を印加する陽極側振動子と
を備え、
前記電解素子によって前記陽極側流水路の流水中に酸素若しくは含オゾン酸素を発生させながら、その流水に前記陽極側振動子が下式（１）を満足する振動を印加する、または、前記電解素子によって前記陽極側流水路の流水中に酸素若しくは含オゾン酸素を発生させた後、その流水に前記陽極側振動子が下式（１）を満足する振動を印加する、または、前記陽極側振動子が下式（１）を満足する振動を前記陽極側流水路の流水に印加した後、その振動が印加された流水中に前記電解素子によって酸素若しくは含オゾン酸素を発生させることを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項９】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路を流れる流水を乱流化する乱流化手段と
を備え、
前記電解素子によって前記陽極側流水路の流水中に酸素若しくは含オゾン酸素を発生させながら、その流水を前記乱流化手段が乱流化する、または、前記電解素子によって前記陽極側流水路の流水中に酸素若しくは含オゾン酸素を発生させた後、その流水を前記乱流化手段が乱流化する、または、前記乱流化手段が前記陽極側流水路の流水を乱流化した後、その乱流化された流水中に前記電解素子によって酸素若しくは含オゾン酸素を発生させることを特徴とする微細気泡含有水生成装置。
【請求項１０】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路を流れる流水を渦流化する渦流化手段と
を備え、
前記電解素子によって前記陽極側流水路の流水中に酸素若しくは含オゾン酸素を発生させながら、その流水を前記渦流化手段が渦流化する、または、前記電解素子によって前記陽極側流水路の流水中に酸素若しくは含オゾン酸素を発生させた後、その流水を前記渦流化手段が渦流化する、または、前記渦流化手段が前記陽極側流水路の流水を渦流化した後、その渦流化された流水中に前記電解素子によって酸素若しくは含オゾン酸素を発生させることを特徴とする微細気泡含有水生成装置。
【請求項１１】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路における陰極近傍に設置された、前記陰極側流水路中の流水に振動を印加する陰極側振動子と
を備え、
前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路を流れる流水を乱流化する乱流化手段と
を備え、
前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させることを特徴とする微細気泡含有水生成装置。
【請求項１３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路を流れる流水を渦流化する渦流化手段と
を備え、
前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させることを特徴とする微細気泡含有水生成装置。
【請求項１４】
前記電解素子の陽極から区画された陰極が流水と接触する陰極側流水路と、
前記陰極側流水路における陰極近傍に設置された、前記陰極側流水路中の流水に振動を印加する陰極側振動子と
を備え、
前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させる請求項８、９または１０に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１５】
前記電解素子の陽極から区画された陰極が流水と接触する陰極側流水路と、
前記陰極側流水路を流れる流水を乱流化する乱流化手段と
を備え、
前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させる請求項８、９または１０に記載の微細気泡含有水生成装置。
【請求項１６】
前記電解素子の陽極から区画された陰極が流水と接触する陰極側流水路と、
前記陰極側流水路を流れる流水を渦流化する渦流化手段と
を備え、
前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させる請求項８、９または１０に記載の微細気泡含有水生成装置。
【請求項１７】
水に印加する振動の強度Ｉが１．００×１０１３[Ｗ／ｍ２]以上である請求項１、２、３、４、５、８、１１または１４に記載の微細気泡含有水生成装置。
【発明の詳細な説明】
【技術分野】
【０００１】
この発明は、含オゾン酸素ガスの微細気泡、酸素ガスの微細気泡または水素ガスの微細気泡を含有する微細気泡含有水を生成する微細気泡含有水生成装置に関する。
【背景技術】
【０００２】
微細気泡含有水を生成する微細気泡含有水生成装置としては、例えば、特許文献１に示すようなものがある。この微細気泡含有水生成装置は、図１３に示すように、水を貯留する貯留槽６１と、この貯留槽６１に貯留された水に浸漬される、多数の微細孔を有する気体放出ヘッド６２と、この気体放出ヘッド６２に気体を供給する気体供給手段６３と、気体放出ヘッド６２に振動を印加する振動印加手段６４とを備えており、水に浸漬した気体放出ヘッド６２に振動を連続的に印加しながら気体放出ヘッド６２の微細孔から気体を液体内に放出することで、気体放出ヘッド６２の微細孔から放出される気体が、気体放出ヘッド６２に印加された所定の振動によって微細気泡に分断されながら水中に放出され、ブラウン運動をしながらゆっくりと収縮し、ナノサイズの微細気泡として水中に安定して存在するようになっている。【０００３】
ところで、オゾンガスは不安定な物質であるため、上述したような微細気泡含有水生成装置を用いてオゾンガスを含む微細気泡を含有する含オゾン微細気泡含有水を生成しようとすると、オゾンガス生成装置によってオゾンガスを含む気体を生成しながら、その気体を微細気泡含有水生成装置の気体供給手段６３によって気体放出ヘッド６２に供給する必要がある。また、酸素ガスの微細気泡や水素ガスの微細気泡を生成しようとすると、酸素ボンベや水素ボンベを微細気泡含有水生成装置の気体供給手段６３に接続して気体放出ヘッド６２に供給する必要がある。
【先行技術文献】
【特許文献】
【０００４】
【特許文献１】特許第６０３９１３９号公報
【発明の概要】
【発明が解決しようとする課題】
【０００５】
しかしながら、上述したように、含オゾン微細気泡含有水を生成するために微細気泡含有水生成装置とオゾンガス生成装置とを組み合わせると、装置全体が大型化すると共に装置の製造コストが高くなるといった問題があると共に、酸素ガスの微細気泡含有水や水素ガスの微細気泡含有水を生成するために酸素ボンベや水素ボンベを微細気泡含有水生成装置に接続すると、ガスボンベを含む装置全体を簡単に移動することができないといった問題がある。【０００６】
そこで、この発明の課題は、オゾンガス生成装置やガスボンベ等が不要で、簡易かつ廉価に含オゾン酸素ガス、酸素ガスまたは水素ガスの微細気泡を含有する微細気泡含有水を生成することができる微細気泡含有水生成装置を提供することにある。
【課題を解決するための手段】
【０００７】
上記の課題を解決するため、請求項１に係る発明は、直径がナノオーダーの微細気泡の含有水を生成する微細気泡含有水生成装置であって、水を貯留する貯留部と、直流電圧を印加することで、水を電気分解して（酸素及び水素）または（含オゾン酸素及び水素）を発生させる、陽極と陰極との間に固体高分子電解質膜が挟み込まれた電解素子と、前記貯留部に貯留された水に振動を印加する振動子とを備え、前記貯留部に貯留された水に浸漬した前記電解素子によって（酸素及び水素）若しくは（含オゾン酸素及び水素）を発生させながら、または、（酸素及び水素）若しくは（含オゾン酸素及び水素）を発生させた後、前記振動子が下式（１）を満足する振動を水に印加することを特徴とする微細気泡含有水生成装置を提供するものである。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【０００８】
また、請求項２に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部と、前記陽極側貯留部内の貯留水に振動を印加する陽極側振動子とを備え、前記陽極側貯留部の貯留水中に、前記電解素子によって、酸素若しくは含オゾン酸素を発生させながら、または、酸素若しくは含オゾン酸素を発生させた後に、前記陽極側振動子が下式（１）を満足する振動を、前記陽極側貯留部内の貯留水に印加することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【０００９】
また、請求項３に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部と、前記電解素子の陽極から区画された陰極が貯留水と接触する陰極側貯留部と、前記陰極側貯留部内の貯留水に振動を印加する陰極側振動子とを備え、前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００１０】
また、請求項４に係る発明は、請求項２に係る発明の微細気泡含有水生成装置において、前記電解素子の陽極から区画された陰極が貯留水と接触する陰極側貯留部と、前記陰極側貯留部内の貯留水に振動を印加する陰極側振動子とを備え、前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００１１】
また、請求項５に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、前記流水路における前記電解素子近傍に設置された、前記流水路中の流水に振動を印加する振動子とを備え、前記電解素子によって前記流水路の流水中に（酸素及び水素）若しくは（含オゾン酸素及び水素）を発生させながら、その流水に前記振動子が下式（１）を満足する振動を印加する、または、前記電解素子によって前記流水路の流水中に（酸素及び水素）若しくは（含オゾン酸素及び水素）を発生させた後、その流水に前記振動子が下式（１）を満足する振動を印加する、または、前記振動子が下式（１）を満足する振動を前記流水路の流水に印加した後、その振動が印加された流水中に前記電解素子によって（酸素及び水素）若しくは（含オゾン酸素及び水素）を発生させることを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００１２】
また、請求項６に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、前記流水路を流れる流水を乱流化する乱流化手段とを備え、前記電解素子によって前記流水路の流水中に（酸素及び水素）若しくは（含オゾン酸素及び水素）を発生させながら、その流水を前記乱流化手段が乱流化する、または、前記電解素子によって前記流水路の流水中に（酸素及び水素）若しくは（含オゾン酸素及び水素）を発生させた後、その流水を前記乱流化手段が乱流化する、または、前記乱流化手段が前記流水路の流水を乱流化した後、その乱流化された流水中に前記電解素子によって（酸素及び水素）若しくは（含オゾン酸素及び水素）を発生させることを特徴としている。【００１３】
また、請求項７に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、前記流水路を流れる流水を渦流化する渦流化手段とを備え、前記電解素子によって前記流水路の流水中に（酸素及び水素）若しくは（含オゾン酸素及び水素）を発生させながら、その流水を前記渦流化手段が渦流化する、または、前記電解素子によって前記流水路の流水中に（酸素及び水素）若しくは（含オゾン酸素及び水素）を発生させた後、その流水を前記渦流化手段が渦流化する、または、前記渦流化手段が前記流水路の流水を渦流化した後、その渦流化された流水中に前記電解素子によって（酸素及び水素）若しくは（含オゾン酸素及び水素）を発生させることを特徴としている。【００１４】
また、請求項８に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、前記陽極側流水路における陽極近傍に設置された、前記陽極側流水路中の流水に振動を印加する陽極側振動子とを備え、前記電解素子によって前記陽極側流水路の流水中に酸素若しくは含オゾン酸素を発生させながら、その流水に前記陽極側振動子が下式（１）を満足する振動を印加する、または、前記電解素子によって前記陽極側流水路の流水中に酸素若しくは含オゾン酸素を発生させた後、その流水に前記陽極側振動子が下式（１）を満足する振動を印加する、または、前記陽極側振動子が下式（１）を満足する振動を前記陽極側流水路の流水に印加した後、その振動が印加された流水中に前記電解素子によって酸素若しくは含オゾン酸素を発生させることを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００１５】
また、請求項９に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、前記陽極側流水路を流れる流水を乱流化する乱流化手段とを備え、前記電解素子によって前記陽極側流水路の流水中に酸素若しくは含オゾン酸素を発生させながら、その流水を前記乱流化手段が乱流化する、または、前記電解素子によって前記陽極側流水路の流水中に酸素若しくは含オゾン酸素を発生させた後、その流水を前記乱流化手段が乱流化する、または、前記乱流化手段が前記陽極側流水路の流水を乱流化した後、その乱流化された流水中に前記電解素子によって酸素若しくは含オゾン酸素を発生させることを特徴としている。【００１６】
また、請求項１０に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、前記陽極側流水路を流れる流水を渦流化する渦流化手段とを備え、前記電解素子によって前記陽極側流水路の流水中に酸素若しくは含オゾン酸素を発生させながら、その流水を前記渦流化手段が渦流化する、または、前記電解素子によって前記陽極側流水路の流水中に酸素若しくは含オゾン酸素を発生させた後、その流水を前記渦流化手段が渦流化する、または、前記渦流化手段が前記陽極側流水路の流水を渦流化した後、その渦流化された流水中に前記電解素子によって酸素若しくは含オゾン酸素を発生させることを特徴としている。【００１７】
また、請求項１１に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、前記陰極側流水路における陰極近傍に設置された、前記陰極側流水路中の流水に振動を印加する陰極側振動子とを備え、前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００１８】
また、請求項１２に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、前記陰極側流水路を流れる流水を乱流化する乱流化手段とを備え、前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させることを特徴としている。【００１９】
また、請求項１３に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、前記陰極側流水路を流れる流水を渦流化する渦流化手段とを備え、前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させることを特徴としている。【００２０】
また、請求項１４に係る発明は、請求項８、９または１０に係る発明の微細気泡含有水生成装置において、前記電解素子の陽極から区画された陰極が流水と接触する陰極側流水路と、前記陰極側流水路における陰極近傍に設置された、前記陰極側流水路中の流水に振動を印加する陰極側振動子とを備え、前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）【００２１】
また、請求項１５に係る発明は、請求項８、９または１０に係る発明の微細気泡含有水生成装置において、前記電解素子の陽極から区画された陰極が流水と接触する陰極側流水路と、前記陰極側流水路を流れる流水を乱流化する乱流化手段とを備え、前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させることを特徴としている。【００２２】
また、請求項１６に係る発明は、請求項８、９または１０に係る発明の微細気泡含有水生成装置において、前記電解素子の陽極から区画された陰極が流水と接触する陰極側流水路と、前記陰極側流水路を流れる流水を渦流化する渦流化手段とを備え、前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させることを特徴としている。【００２３】
また、請求項１７に係る発明は、請求項１、２、３、４、５、８、１１または１４に係る発明の微細気泡含有水生成装置において、水に印加する振動の強度Ｉが１．００×１０１３[Ｗ／ｍ２]以上であることを特徴としている。
【発明の効果】
【００２４】
以上のように、請求項１に係る発明の微細気泡含有水生成装置では、静止水中の電解素子に直流電圧を印加することで（酸素及び水素）若しくは（含オゾン酸素及び水素）を発生させながら、または、（酸素及び水素）若しくは（含オゾン酸素及び水素）を発生させた後、その静止水に強度Ｉが８．５６×１０１２[Ｗ／ｍ２]以上の振動を印加することで、請求項５〜７に係る発明の微細気泡含有水生成装置では、電解素子によって流水中に（酸素及び水素）若しくは（含オゾン酸素及び水素）を発生させながら、その流水に強度Ｉが８．５６×１０１２[Ｗ／ｍ２]以上の振動を印加したり、その流水を乱流化したり、渦流化したりすることで、または、電解素子によって流水中に（酸素及び水素）若しくは（含オゾン酸素及び水素）を発生させた後、その流水に強度Ｉが８．５６×１０１２[Ｗ／ｍ２]以上の振動を印加したり、その流水を乱流化したり、渦流化したりすることで、または、強度Ｉが８．５６×１０１２[Ｗ／ｍ２]以上の振動を流水に印加したり、流水を乱流化したり、渦流化したりした後、その流水中に、電解素子によって（酸素及び水素）若しくは（含オゾン酸素及び水素）を発生させることで、電解素子によって発生させた（酸素及び水素）若しくは（含オゾン酸素及び水素）の気泡同士の衝突が抑制されるので、気泡同士が合体して大きくなりにくく、直径がナノオーダーの（酸素及び水素）若しくは（含オゾン酸素及び水素）の微細気泡として静止水中または流水中に保持することができる。【００２５】
また、請求項２に係る発明の微細気泡含有水生成装置では、陰極から区画された陽極が陽極側貯留部内の静止水に接触する電解素子に直流電圧を印加することで、陽極側貯留部内の静止水中に酸素若しくは含オゾン酸素を発生させながら、または、酸素若しくは含オゾン酸素を発生させた後、強度Ｉが８．５６×１０１２[Ｗ／ｍ２]以上の振動を陽極側貯留部内の静止水に印加することで、請求項８〜１０に係る発明の微細気泡含有水生成装置では、陰極から区画された陽極が陽極側流水路内の流水に接触する電解素子によって陽極側流水路内の流水中に酸素若しくは含オゾン酸素を発生させながら、その流水に強度Ｉが８．５６×１０１２[Ｗ／ｍ２]以上の振動を印加したり、その流水を乱流化したり、渦流化したりすることで、または、陰極から区画された陽極が陽極側流水路内の流水に接触する電解素子によって陽極側流水路内の流水中に酸素若しくは含オゾン酸素を発生させた後、その流水に強度Ｉが８．５６×１０１２[Ｗ／ｍ２]以上の振動を印加したり、その流水を乱流化したり、渦流化したりすることで、または、強度Ｉが８．５６×１０１２[Ｗ／ｍ２]以上の振動を陽極側流水路内の流水に印加したり、陽極側流水路内の流水を乱流化したり、渦流化したりした後、その流水中に、陰極から区画された陽極が陽極側流水路内の流水に接触する電解素子によって酸素若しくは含オゾン酸素を発生させることで、電解素子によって発生させた酸素若しくは含オゾン酸素の気泡同士の衝突が抑制されるので、気泡同士が合体して大きくなりにくく、直径がナノオーダーの酸素若しくは含オゾン酸素の微細気泡だけを陽極側貯留部内の静止水中や陽極側流水路内の流水中に保持することができる。【００２６】
また、請求項３に係る発明の微細気泡含有水生成装置では、陽極から区画された陰極が陰極側貯留部内の静止水に接触する電解素子に直流電圧を印加することで、陰極側貯留部内の静止水中に水素を発生させながら、または、水素を発生させた後、強度Ｉが８．５６×１０１２[Ｗ／ｍ２]以上の振動を陰極側貯留部内の静止水に印加することで、請求項１１〜１３に係る発明の微細気泡含有水生成装置では、陽極から区画された陰極が陰極側流水路内の流水に接触する電解素子によって陰極側流水路内の流水中に水素を発生させながら、その流水に強度Ｉが８．５６×１０１２[Ｗ／ｍ２]以上の振動を印加したり、その流水を乱流化したり、渦流化したりすることで、または、陽極から区画された陰極が陰極側流水路内の流水に接触する電解素子によって陰極側流水路内の流水中に水素を発生させた後、その流水に強度Ｉが８．５６×１０１２[Ｗ／ｍ２]以上の振動を印加したり、その流水を乱流化したり、渦流化したりすることで、または、強度Ｉが８．５６×１０１２[Ｗ／ｍ２]以上の振動を陰極側流水路内の流水に印加したり、陰極側流水路内の流水を乱流化したり、渦流化したりした後、その流水中に、陽極から区画された陰極が陰極側流水路内の流水に接触する電解素子によって水素を発生させることで、電解素子によって発生させた水素の気泡同士の衝突が抑制されるので、気泡同士が合体して大きくなりにくく、直径がナノオーダーの水素の微細気泡だけを陰極側貯留部内の静止水中や陰極側流水路内の流水中に保持することができる。【００２７】
また、請求項４、１４〜１６に係る発明の微細気泡含有水生成装置では、請求項２、８〜１０に係る発明の微細気泡含有水生成装置や請求項３、１１〜１３に係る発明の微細気泡含有水生成装置と同様に、電解素子によって、陽極側貯留部内の静止水中や陽極側流水路内の流水中に発生させた酸素若しくは含オゾン酸素の気泡同士の衝突が抑制されると共に陰極側貯留部内の静止水中や陰極側流水路内の流水中に発生させた水素の気泡同士の衝突が抑制されるので、気泡同士が合体して大きくなりにくく、直径がナノオーダーの酸素若しくは含オゾン酸素の微細気泡を陽極側貯留部内の静止水中や陽極側流水路内の流水中に、直径がナノオーダーの水素の微細気泡を陰極側貯留部内の静止水中や陰極側流水路内の流水中にそれぞれ保持することができる。【００２８】
従って、従来のように、オゾンガス生成装置によってオゾンガスを含む気体を生成しながら、その気体を微細気泡含有水生成装置に供給して含オゾン微細気泡含有水を生成したり、酸素ボンベや水素ボンベから酸素ガスや水素ガスを微細気泡含有水生成装置に供給して酸素ガスの微細気泡含有水や水素ガスの微細気泡含有水を生成したりすると行った具合に、微細気泡含有水生成装置とオゾンガス生成装置とを組み合わせたり、酸素ボンベや水素ボンベを微細気泡含有水生成装置に接続したりする必要がなく、簡易かつ廉価に含オゾン酸素ガス、酸素ガスまたは水素ガスの微細気泡を含有する微細気泡含有水を効率よく生成することができる。【００２９】
特に、請求項１〜５、８、１１、１４に係る発明の微細気泡含有水生成装置のように、振動を印加する場合は、印加する振動の強度Ｉを１．００×１０１３[Ｗ／ｍ２]以上にしておくと、より早く含オゾン酸素ガス、酸素ガスまたは水素ガスの微細気泡含有水を生成することができる。
【図面の簡単な説明】
【００３０】
【図１】この発明に係る微細気泡含有水生成装置の一実施形態を示す概略構成図である。
【図２】（ａ）は同上の微細気泡含有水生成装置に搭載された水電解式オゾン発生手段の電解素子を示す端面図、（ｂ）は同上の電解素子を示す側面図である。
【図３】同上の電解素子を示す分解端面図である。
【図４】同上の微細気泡含有水生成装置の変形例を示す概略構成図である。
【図５】同上の微細気泡含有水生成装置の他の変形例を示す概略構成図である。
【図６】微細気泡含有水生成装置の他の実施形態を示す概略構成図である。
【図７】微細気泡含有水生成装置の他の実施形態を示す概略構成図である。
【図８】微細気泡含有水生成装置の他の実施形態を示す概略構成図である。
【図９】微細気泡含有水生成装置の他の実施形態を示す概略構成図である。
【図１０】微細気泡含有水生成装置の他の実施形態を示す概略構成図である。
【図１１】微細気泡含有水生成装置の他の実施形態を示す概略構成図である。
【図１２】微細気泡含有水生成装置の他の実施形態を示す概略構成図である。
【図１３】従来の微細気泡含有水生成装置を示す概略構成図である。
【発明を実施するための形態】
【００３１】
＜実施形態１＞
以下、実施の形態について図面を参照して説明する。図１に示す微細気泡含有水生成装置１は、直径がナノオーダーの（酸素及び水素）または（含オゾン酸素及び水素）の微細気泡の含有水を生成するものであり、水を貯留する貯留槽１０と、水を電気分解して（酸素及び水素）または（含オゾン酸素及び水素）を発生させる水電解式気体発生手段２０と、前記貯留槽１０に貯留された水に振動を印加する振動印加手段３０とを備えている。
【００３２】
前記水電解式気体発生手段２０は、同図に示すように、水を電気分解して（酸素及び水素）または（含オゾン酸素及び水素）を発生させる複数の板状の電解素子２１と、各電解素子２１に直流電圧を印加する直流電源装置２６とから構成されており、複数の電解素子２１は、貯留槽１０の底面に支持された支持部材２５ａ、２５ｂを介して、立てた状態で貯留槽１０内の底部に保持されている。
【００３３】
前記電解素子２１は、図２（ａ）、（ｂ）に示すように、陽極２２と、陰極２３と、両電極間に挟み込まれた固体高分子電解質膜２４とから構成されており、この電解素子２１を貯留槽１０に貯留された水に浸漬した状態で両電極間に直流電圧を印加すると、水が電気分解され、陽極２２側に酸素または含オゾン酸素が、陰極２３側に水素がそれぞれ発生するようになっている。
【００３４】
前記陽極２２は、図３に示すように、陽極基材２２ａと、その陽極基材２２ａの片面に積層された陽極触媒層２２ｂとから構成されており、陽極触媒層２２ｂが固体高分子電解質膜２４と接触するようになっている。陽極基材２２ａとしては、チタン、ニオブ、タンタル等のバルブ金属やその合金、シリコンを使用することができ、陽極触媒層２２ｂとしては、二酸化鉛、ダイヤモンド等を使用することができる。
【００３５】
前記陰極２３は、図３に示すように、陰極基材２３ａと、その陰極基材２３ａの片面に積層された陰極触媒層２３ｂとから構成されており、陰極触媒層２３ｂが固体高分子電解質膜２４と接触するようになっている。陰極基材２３ａとしては、ステンレス、ジルコニウム、カーボン、ニッケル、チタン等を使用することができ、陰極触媒層２３ｂとしては、白金族金属、ニッケル、ステンレス、チタン、ジルコニウム、モリブデン、シリコン、金、銀、カーボン、ダイヤモンド、各種金属炭化物を使用することができる。
【００３６】
前記固体高分子電解質膜２４としては、陽イオン交換膜が使用でき、特に、スルホン酸基を有し、科学反応性に優れたパーフルオロスルホン酸系の陽イオン交換膜が適している。
【００３７】
前記振動印加手段３０は、図１に示すように、貯留槽１０の上面開口部に固定された支持プレート３２を介して保持された、貯留槽１０に貯留された水を振動させる振動子３１と、この振動子３１に連続波の交流信号を印加する発振装置３３とから構成されており、貯留槽１０に貯留された水に、２０ [Ｈｚ]〜２[ＭＨｚ]の範囲内で所定の周波数の振動を連続的に印加するようになっている。なお、前記振動子３１としては、ランジュバン型振動子、圧電振動子（ピエゾ素子）等が挙げられ、要求される周波数範囲に応じて適宜選択すれば良い。
【００３８】
以下、上述した微細気泡含有水生成装置１を用いて含オゾン酸素及び水素の微細気泡の含有水を生成する本発明の実施例１〜８及び比較例１〜１２について、表１及び表２を参照しながら説明するが、本発明は以下の実施例に限定されるものではないことはいうまでもない。
【００３９】
（実施例１〜８及び比較例１〜１２）
表１に示すように、実施例１〜８及び比較例２〜１２については、貯留槽１０内に２０℃の水を１[Ｌ]導入し、貯留槽１０に貯留された水に浸漬した電解素子２１の電極（陽極２２、陰極２３）間に１２[Ｖ]の直流電圧を１０分間印加することで貯留槽１０内の貯留水中に含オゾン酸素気泡及び水素気泡を発生させた後、振動子３１によって、貯留槽１０内の貯留水に振動を１分間連続的に印加した。このとき振動子３１が水に印加した振動の周波数、振幅及び強度は表１に示す通りである。一方、表１に示すように、比較例１については、貯留槽１０内に２０℃の水を１[Ｌ]導入し、電解素子２１の電極間に１２[Ｖ]の直流電圧を１０分間印加することで貯留槽１０内の貯留水中に含オゾン酸素気泡及び水素気泡を発生させたが、振動を印加しなかった。
【００４０】
なお、振動の振幅については、貯留槽１０内の水中に浸漬されたユニモルフ型の圧電素子（（株）富士セラミックス製  Ｃ−８）が、振動子３１による印加振動を受けて発生する振幅電圧Ｖを測定し、この測定振幅電圧Ｖ及び圧電素子の等価圧電定数ｄ３１から下式（２）より算出した。
Ａ＝ｄ３１×Ｖ・・・（２）
Ａ：振幅[ｍ]
ｄ３１：等価圧電定数［ｍ／Ｖ］（＝−２７４×１０−１２）
Ｖ：測定振幅電圧［Ｖ］
【００４１】
また、振動の強度については、振動子３１が水に印加した振動の周波数及び上式（２）より算出した振幅から下式（３）より算出した。
Ｉ＝（２π×ｆ×Ａ）２×Ｚ０／２  ・・・（３）
Ｉ：強度[Ｗ／ｍ２]
ｆ：周波数［Ｈｚ］
Ａ：振幅［ｍ］
Ｚ０：水の音響インピーダンス（＝１．６×１０６［ｋｇ／（ｃｍ２・ｓ）］）
【００４２】
【表１】
2020179667.tif 000003
【００４３】
含オゾン酸素及び水素の発生後に振動を印加した実施例１〜８及び比較例２〜１２については、振動を印加する前後の生成水の状態を、含オゾン酸素及び水素の発生後に振動を印加していない比較例１については、電解素子２１への電圧印加停止時点の生成水の状態をそれぞれ目視によって確認し、その状態を表２に示した。また、含オゾン酸素及び水素の発生後に振動を印加した実施例１〜８及び比較例２〜１２については、振動子３１による振動の印加を停止した後１５分間経過した時点で、含オゾン酸素及び水素の発生後に振動を印加していない比較例１については、電解素子２１への電圧印加停止後１５分間経過した時点で、生成水に含まれる微細気泡の気泡径（モード径）及び個数をナノ粒子解析システム（マルバーン製  ナノサイト  ＬＭ１０）を用いて測定し、その結果を表２に示した。
【００４４】
【表２】
2020179667.tif 000004
【００４５】
表２から分かるように、振動子３１による印加振動の強度Ｉが８．５６×１０１２[Ｗ／ｍ２]以上である実施例１〜８については、振動印加前は白濁していた生成水が振動印加後は透明になり、得られた生成水１ｍｌ中に、平均気泡径が１００ｎｍ前後の含オゾン酸素微細気泡及び水素微細気泡が５．１×１０８個〜８．６×１０８個存在していることが確認できた。振動印加前は含オゾン酸素気泡及び水素気泡の気泡径が大きいため生成水は白濁しているが、この生成水に強度Ｉが８．５６×１０１２[Ｗ／ｍ２]以上の振動を印加することによって含オゾン酸素気泡及び水素気泡の気泡径が１００ｎｍ前後まで縮小し、これによって生成水が透明になったものと考えられる。
【００４６】
特に、振動子３１による印加振動の強度Ｉが１．００×１０１３[Ｗ／ｍ２]を下回っている実施例２、４、６、８については、白濁している生成水が完全に透明になるまで、振動の印加開始から３０秒程度かかったが、振動子３１による印加振動の強度Ｉが１．００×１０１３[Ｗ／ｍ２]以上である実施例１、３、５、７については、振動印加直後に透明になっており、印加する振動の強度Ｉを１．００×１０１３[Ｗ／ｍ２]以上にしておくと、平均気泡径が１００ｎｍ前後の含オゾン酸素微細気泡及び水素微細気泡をより早く生成することができる。
【００４７】
これに対して、振動を印加しなかった比較例１や印加振動の強度Ｉが８．５６×１０１２[Ｗ／ｍ２]を下回っている比較例２〜１２については、得られた生成水が白濁したままであり、３μｍ以上の含オゾン酸素気泡及び水素気泡が多量に生成されているものと考えられる。このため、上記ナノ粒子解析システムではナノサイズの微細気泡の気泡径及び個数を測定することができなかった。
【００４８】
なお、この微細気泡含有水生成装置１では、電解素子２１を貯留槽１０内の底部に保持すると共に、貯留槽１０に貯留された水を振動させる振動子３１を貯留槽１０の上面開口部に固定された支持プレート３２を介して保持しているが、これに限定されるものではなく、例えば、図４に示すように、密閉構造のケース３４内部に振動子３１を接着固定した投込型の振動子を採用し、ケース３４の天面に電解素子２１を取り付けるようにしても良い。また、図５に示すように、振動の進行方向が電解素子２１に向くように、指向性のある振動子３１を貯留槽１０内の所定位置に取り付けてもよい。
【００４９】
＜実施形態２＞
図６は、他の実施形態を示している。この微細気泡含有水生成装置２は、水を貯留する貯留槽１０と、水を電気分解して（酸素及び水素）または（含オゾン酸素及び水素）を発生させる、電解素子２１及び直流電源装置２６を有する水電解式気体発生手段２０と、貯留槽１０に貯留された水に振動を印加する、振動子及び発振装置３３を有する振動印加手段３０とを備えている点で、上述した微細気泡含有水生成装置１と同様の構成を有しているが、貯留槽１０を、電解素子２１を隔壁の一部として、貯留水が電解素子２１の陽極２２だけに接触する陽極側貯留部ＰＳと、貯留水が電解素子２１の陰極２３だけに接触する陰極側貯留部ＮＳとに区画し、陽極側貯留部ＰＳの貯留水に振動を印加する陽極側振動子３１ｐ及び陰極側貯留部ＮＳの貯留水に振動を印加する陰極側振動子３１ｎをそれぞれ設けた点で、微細気泡含有水生成装置１とは構成を異にしている。
【００５０】
従って、この微細気泡含有水生成装置２では、貯留槽１０の陽極側貯留部ＰＳに含オゾン酸素微細気泡含有水または酸素微細気泡含有水を、貯留槽１０の陰極側貯留部ＮＳに水素微細気泡含有水をそれぞれ生成することができる。以下、上述した微細気泡含有水生成装置２を用いて含オゾン酸素微細気泡含有水を生成する本発明の実施例９〜１６及び比較例１３〜２４、酸素微細気泡含有水を生成する本発明の実施例１７〜２４及び比較例２５〜３６、水素微細気泡含有水をそれぞれ生成する本発明の実施例２５〜３２及び比較例３７〜４８について、表３〜表８を参照しながら説明するが、本発明は以下の実施例に限定されるものではないことはいうまでもない。
【００５１】
（実施例９〜１６及び比較例１３〜２４）
表３に示すように、実施例９〜１６及び比較例１４〜２４については、貯留槽１０の陽極側貯留部ＰＳ内に２０℃の水を０．５[Ｌ]導入し、陽極側貯留部ＰＳ内に貯留された水に陽極２２が接触している電解素子２１の電極（陽極２２、陰極２３）間に１２[Ｖ]の直流電圧を１０分間印加することで陽極側貯留部ＰＳ内の貯留水中に含オゾン酸素気泡を発生させた後、陽極側振動子３１ｐによって、振動を陽極側貯留部ＰＳ内の貯留水に１分間連続的に印加した。このとき陽極側振動子３１ｐが水に印加した振動の周波数、振幅及び強度は表３に示す通りである。一方、表３に示すように、比較例１３については、貯留槽１０の陽極側貯留部ＰＳ内に２０℃の水を０．５[Ｌ]導入し、電解素子２１の電極間に１２[Ｖ]の直流電圧を１０分間印加することで陽極側貯留部ＰＳ内の貯留水中に含オゾン酸素気泡を発生させたが、振動を印加しなかった。
【００５２】
なお、振動の振幅については、貯留槽１０の陽極側貯留部ＰＳ内の水中に浸漬されたユニモルフ型の圧電素子（（株）富士セラミックス製  Ｃ−８）が、陽極側振動子３１ｐによる印加振動を受けて発生する振幅電圧Ｖを測定し、この測定振幅電圧Ｖ及び圧電素子の等価圧電定数ｄ３１から上述した式（２）より算出すると共に、振動の強度については、陽極側振動子３１ｐが水に印加した振動の周波数及び上述した式（２）より算出した振幅から上述した式（３）より算出した。
【００５３】
【表３】
2020179667.tif 000005
【００５４】
含オゾン酸素発生後に振動を印加した実施例９〜１６及び比較例１４〜２４については、振動を印加する前後の生成水の状態を、含オゾン酸素発生後に振動を印加していない比較例１３については、電解素子２１への電圧印加停止時点の生成水の状態をそれぞれ目視によって確認し、その状態を表４に示した。また、含オゾン酸素発生後に振動を印加した実施例９〜１６及び比較例１４〜２４については、陽極側振動子３１ｐによる振動の印加を停止した後１５分間経過した時点で、含オゾン酸素発生後に振動を印加していない比較例１３については、電解素子２１への電圧印加停止後１５分間経過した時点で、生成水に含まれる微細気泡の気泡径（モード径）及び個数をナノ粒子解析システム（マルバーン製  ナノサイト  ＬＭ１０）を用いて測定し、その結果を表４に示した。
【００５５】
【表４】
2020179667.tif 000006
【００５６】
表４から分かるように、陽極側振動子３１ｐによる印加振動の強度Ｉが８．５６×１０１２[Ｗ／ｍ２]以上である実施例９〜１６については、振動印加前は白濁していた生成水が振動印加後は透明になり、得られた生成水１ｍｌ中に、平均気泡径が１００ｎｍ前後の含オゾン酸素微細気泡が６．７×１０８個〜９．５×１０８個存在していることが確認できた。振動印加前は含オゾン酸素気泡の気泡径が大きいため生成水は白濁しているが、この生成水に強度Ｉが８．５６×１０１２[Ｗ／ｍ２]以上の振動を印加することによって含オゾン酸素気泡の気泡径が１００ｎｍ前後まで縮小し、これによって生成水が透明になったものと考えられる。
【００５７】
特に、陽極側振動子３１ｐによる印加振動の強度Ｉが１．００×１０１３[Ｗ／ｍ２]を下回っている実施例１０、１２、１４、１６については、白濁している生成水が完全に透明になるまで、振動の印加開始から３０秒程度かかったが、陽極側振動子３１ｐによる印加振動の強度Ｉが１．００×１０１３[Ｗ／ｍ２]以上である実施例９、１１、１３、１５については、振動印加直後に透明になっており、印加する振動の強度Ｉを１．００×１０１３[Ｗ／ｍ２]以上にしておくと、平均気泡径が１００ｎｍ前後の含オゾン酸素微細気泡をより早く生成することができる。
【００５８】
これに対して、振動を印加しなかった比較例１３や印加振動の強度Ｉが８．５６×１０１２[Ｗ／ｍ２]を下回っている比較例１４〜２４については、得られた生成水が白濁したままであり、３μｍ以上の含オゾン酸素気泡が多量に生成されているものと考えられる。このため、上記ナノ粒子解析システムではナノサイズの微細気泡の気泡径及び個数を測定することができなかった。
【００５９】
（実施例１７〜２４及び比較例２５〜３６）
表５に示すように、実施例１７〜２４及び比較例２６〜３６については、貯留槽１０の陽極側貯留部ＰＳに２０℃の水を０．５[Ｌ]導入し、陽極側貯留部ＰＳ内の貯留水に陽極２２が接触している電解素子２１の電極（陽極２２、陰極２３）間に１．２３[Ｖ]の直流電圧を１０分間印加することで陽極側貯留部ＰＳ内の貯留水中に酸素気泡を発生させた後、陽極側振動子３１ｐによって、陽極側貯留部ＰＳ内の貯留水に振動を１分間連続的に印加した。このとき陽極側振動子３１ｐが水に印加した振動の周波数、振幅及び強度は表５に示す通りである。一方、表５に示すように、比較例２５については、貯留槽１０の陽極側貯留部ＰＳ内に２０℃の水を０．５[Ｌ]導入し、電解素子２１の電極間に１．２３[Ｖ]の直流電圧を１０分間印加することで陽極側貯留部ＰＳ内の貯留水中に酸素気泡を発生させたが、振動を印加しなかった。
【００６０】
なお、振動の振幅及び強度については、実施例９〜１６及び比較例１３〜２４の場合と同様に算出した。
【００６１】
【表５】
2020179667.tif 000007
【００６２】
酸素発生後に振動を印加した実施例１７〜２４及び比較例２６〜３６については、振動を印加する前後の生成水の状態を、酸素発生後に振動を印加していない比較例２５については、電解素子２１への電圧印加停止時点の生成水の状態をそれぞれ目視によって確認し、その状態を表６に示した。また、酸素発生後に振動を印加した実施例１７〜２４及び比較例２６〜３６については、陽極側振動子３１ｐによる振動の印加を停止した後１５分間経過した時点で、酸素発生後に振動を印加していない比較例２５については、電解素子２１への電圧印加停止後１５分間経過した時点で、生成水に含まれる微細気泡の気泡径（モード径）及び個数をナノ粒子解析システム（マルバーン製  ナノサイト  ＬＭ１０）を用いて測定し、その結果を表６に示した。
【００６３】
【表６】
2020179667.tif 000008
【００６４】
表６から分かるように、陽極側振動子３１ｐによる印加振動の強度Ｉが８．５６×１０１２[Ｗ／ｍ２]以上である実施例１７〜２４については、振動印加前は白濁していた生成水が振動印加後は透明になり、得られた生成水１ｍｌ中に、平均気泡径が１００ｎｍ前後の酸素微細気泡が４．３×１０７個〜８．８×１０７個存在していることが確認できた。振動印加前は酸素気泡の気泡径が大きいため生成水は白濁しているが、この生成水に強度Ｉが８．５６×１０１２[Ｗ／ｍ２]以上の振動を印加することによって酸素気泡の気泡径が１００ｎｍ前後まで縮小し、これによって生成水が透明になったものと考えられる。
【００６５】
特に、陽極側振動子３１ｐによる印加振動の強度Ｉが１．００×１０１３[Ｗ／ｍ２]を下回っている実施例１８、２０、２２、２４については、白濁している生成水が完全に透明になるまで、振動の印加開始から３０秒程度かかったが、陽極側振動子３１ｐによる印加振動の強度Ｉが１．００×１０１３[Ｗ／ｍ２]以上である実施例１７、１９、２１、２３については、振動印加直後に透明になっており、印加する振動の強度Ｉを１．００×１０１３[Ｗ／ｍ２]以上にしておくと、平均気泡径が１００ｎｍ前後の含オゾン微細気泡をより早く生成することができる。
【００６６】
これに対して、振動を印加しなかった比較例２５や印加振動の強度Ｉが８．５６×１０１２[Ｗ／ｍ２]を下回っている比較例２６〜３６については、得られた生成水が白濁したままであり、３μｍ以上の酸素気泡が多量に生成されているものと考えられる。このため、上記ナノ粒子解析システムではナノサイズの微細気泡の気泡径及び個数を測定することができなかった。
【００６７】
（実施例２５〜３２及び比較例３７〜４８）
表７に示すように、実施例２５〜３２及び比較例３８〜４８については、貯留槽１０の陽極側貯留部ＰＳ及び陰極側貯留部ＮＳに２０℃の水を０．５[Ｌ]をそれぞれ導入し、陽極側貯留部ＰＳ内の貯留水に陽極２２が、陰極側貯留部ＮＳ内の貯留水に陰極２３がそれぞれ接触している電解素子２１の電極（陽極２２、陰極２３）間に６[Ｖ]の直流電圧を１０分間印加することで陰極側貯留部ＮＳ内の貯留水中に水素気泡を発生させた後、陰極側振動子３１ｎによって、陰極側貯留部ＮＳ内の貯留水に振動を１分間連続的に印加した。このとき陰極側振動子３１ｎが水に印加した振動の周波数、振幅及び強度は表７に示す通りである。一方、表７に示すように、比較例３７については、貯留槽１０の陽極側貯留部ＰＳ及び陰極側貯留部ＮＳに２０℃の水を０．５[Ｌ]導入し、電解素子２１の電極間に６[Ｖ]の直流電圧を１０分間印加することで陰極側貯留部ＮＳ内の貯留水中に水素気泡を発生させたが、振動を印加しなかった。
【００６８】
なお、振動の振幅については、貯留槽１０の陰極側貯留部ＮＳ内の水中に浸漬されたユニモルフ型の圧電素子（（株）富士セラミックス製  Ｃ−８）が、陰極側振動子３１ｎによる印加振動を受けて発生する振幅電圧Ｖを測定し、この測定振幅電圧Ｖ及び圧電素子の等価圧電定数ｄ３１から上述した式（２）より算出すると共に、振動の強度については、陰極側振動子３１ｎが水に印加した振動の周波数及び上述した式（２）より算出した振幅から上述した式（３）より算出した。
【００６９】
【表７】
2020179667.tif 000009
【００７０】
水素発生後に振動を印加した実施例２５〜３２及び比較例３８〜４８については、振動を印加する前後の生成水の状態を、水素発生後に振動を印加していない比較例３７については、電解素子２１への電圧印加停止時点の生成水の状態をそれぞれ目視によって確認し、その状態を表８に示した。また、水素発生後に振動を印加した実施例２５〜３２及び比較例３８〜４８については、陰極側振動子３１ｎによる振動の印加を停止した後１５分間経過した時点で、水素発生後に振動を印加していない比較例３７については、電解素子２１への電圧印加停止後１５分間経過した時点で、生成水に含まれる微細気泡の気泡径（モード径）及び個数をナノ粒子解析システム（マルバーン製  ナノサイト  ＬＭ１０）を用いて測定し、その結果を表８に示した。
【００７１】
【表８】
2020179667.tif 000010
【００７２】
表８から分かるように、陰極側振動子３１ｎによる印加振動の強度Ｉが８．５６×１０１２[Ｗ／ｍ２]以上である実施例２５〜３２については、振動印加前は白濁していた生成水が振動印加後は透明になり、得られた生成水１ｍｌ中に、平均気泡径が１００ｎｍ前後の水素微細気泡が６．８×１０８個〜９．７×１０８個存在していることが確認できた。振動印加前は水素気泡の気泡径が大きいため生成水は白濁しているが、この生成水に強度Ｉが８．５６×１０１２[Ｗ／ｍ２]以上の振動を印加することによって水素気泡の気泡径が１００ｎｍ前後まで縮小し、これによって生成水が透明になったものと考えられる。
【００７３】
特に、陰極側振動子３１ｎによる印加振動の強度Ｉが１．００×１０１３[Ｗ／ｍ２]を下回っている実施例２６、２８、３０、３２については、白濁している生成水が完全に透明になるまで、振動の印加開始から３０秒程度かかったが、陰極側振動子３１ｎによる印加振動の強度Ｉが１．００×１０１３[Ｗ／ｍ２]以上である実施例２５、２７、２９、３１については、振動印加直後に透明になっており、印加する振動の強度Ｉを１．００×１０１３[Ｗ／ｍ２]以上にしておくと、平均気泡径が１００ｎｍ前後の含オゾン微細気泡をより早く生成することができる。
【００７４】
これに対して、振動を印加しなかった比較例３７や印加振動の強度Ｉが８．５６×１０１２[Ｗ／ｍ２]を下回っている比較例３８〜４８については、得られた生成水が白濁したままであり、３μｍ以上の水素気泡が多量に生成されているものと考えられる。このため、上記ナノ粒子解析システムではナノサイズの微細気泡の気泡径及び個数を測定することができなかった。
【００７５】
＜実施形態３＞
図７は、他の実施形態を示している。同図に示すように、この微細気泡含有水生成装置３は、水を貯留する貯留槽１０と、この貯留槽１０に貯留された水を吸い上げて送出する送水ユニットＷＳＵと、この送水ユニットＷＳＵによる送水途中の水に微細気泡を供給することで、微細気泡含有水を生成する微細気泡含有水生成ユニットＢＷＵとから構成されており、微細気泡含有水生成ユニットＢＷＵによって生成された微細気泡含有水は送水ユニットＷＳＵによって貯留槽１０に戻されるようになっている。
【００７６】
前記送水ユニットＷＳＵは、貯留槽１０に貯留された水を微細気泡含有水生成ユニットＢＷＵに送出する送水管４１と、微細気泡含有水生成ユニットＢＷＵによって生成された微細気泡含有水を貯留槽１０に送出する送水管４２と、送水管４１部分に設けられた可変流量形の送水ポンプ４３とから構成されており、貯留槽１０に貯留された水が微細気泡含有水生成ユニットＢＷＵに循環供給されるようになっている。
【００７７】
前記微細気泡含有水生成ユニットＢＷＵは、水を電気分解して（酸素及び水素）または（含オゾン酸素及び水素）を発生させる電解素子２１及びこの電解素子２１に直流電圧を印加する直流電源装置２６を有する水電解式気体発生手段２０と、電解素子２１が収容され、送水ユニットＷＳＵの送水管４１及び送水管４２がそれぞれ接続される流路形成体４４と、この流路形成体４４内を流れる水に振動を印加する振動子３１及び振動子３１に連続波の交流信号を印加する発振装置３３を有する振動印加手段３０とを備えており、電解素子２１の陽極２２及び陰極２３が流路形成体４４内の流水と接触するようになっている。
【００７８】
以下、上述した微細気泡含有水生成装置３を用いて含オゾン酸素及び水素の微細気泡の含有水を生成する本発明の実施例３３〜４０及び比較例４９〜６０、酸素及び水素の微細気泡の含有水を生成する本発明の実施例４１〜４８及び比較例６１〜７２について、表９〜表１２を参照しながら説明するが、本発明は以下の実施例に限定されるものではないことはいうまでもない。
【００７９】
（実施例３３〜４０及び比較例４９〜６０）
表９に示すように、実施例３３〜４０及び比較例５０〜６０については、貯留槽１０内に２０℃の水を２[Ｌ]導入し、貯留槽１０内の貯留水を送水ユニットＷＳＵによって２[Ｌ/ｍｉｎ]で１０分間循環させながら、陽極２２及び陰極２３が流路形成体４４内の流水と接触している電解素子２１の電極（陽極２２、陰極２３）間に１２[Ｖ]の直流電圧を印加することで流路形成体４４内の流水中に含オゾン酸素気泡及び水素気泡を発生させると共に、振動子３１によって、流路形成体４４内の流水に振動を連続的に印加した。なお、気泡発生時間及び振動印加時間は、水の循環時間と同様に１０分間であり、このとき流水に印加した振動の周波数、振幅及び強度は表９に示す通りである。一方、表９に示すように、比較例４９については、貯留槽１０内に２０℃の水を２[Ｌ]導入し、貯留槽１０内の貯留水を送水ユニットＷＳＵによって２[Ｌ/ｍｉｎ]で１０分間循環させながら、電解素子２１の電極間に１２[Ｖ]の直流電圧を印加することで流路形成体４４内の流水中に含オゾン酸素気泡及び水素気泡を発生させたが、振動を印加しなかった。
【００８０】
なお、振動の振幅については、貯留槽１０の流路形成体４４内の水中に浸漬されたユニモルフ型の圧電素子（（株）富士セラミックス製  Ｃ−８）が、振動子３１による印加振動を受けて発生する振幅電圧Ｖを測定し、この測定振幅電圧Ｖ及び圧電素子の等価圧電定数ｄ３１から上述した式（２）より算出すると共に、振動の強度については、振動子３１が水に印加した振動の周波数及び上述した式（２）より算出した振幅から上述した式（３）より算出した。
【００８１】
【表９】
2020179667.tif 000011
【００８２】
実施例３３〜４０及び比較例４９〜６０について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表１０に示した。
【００８３】
【表１０】
2020179667.tif 000012
【００８４】
表１０から分かるように、振動子３１による印加振動の強度Ｉが８．５６×１０１２[Ｗ／ｍ２]以上である実施例３３〜４０については、得られた生成水が透明であり、生成水１ｍｌ中には、平均気泡径が１００ｎｍ前後の含オゾン酸素微細気泡及び水素微細気泡が５．４×１０８個〜７．５×１０８個存在していることが確認できた。流水中に含オゾン酸素気泡及び水素気泡を発生させながら、強度Ｉが８．５６×１０１２[Ｗ／ｍ２]以上の振動を印加することによって、発生した含オゾン酸素気泡及び水素気泡の気泡径が１００ｎｍ前後まで縮小し、これによって生成水が透明になったものと考えられる。
【００８５】
これに対して、振動を印加しなかった比較例４９や印加振動の強度Ｉが８．５６×１０１２[Ｗ／ｍ２]を下回っている比較例５０〜６０については、得られた生成水が白濁しており、３μｍ以上の含オゾン酸素気泡及び水素気泡が多量に生成されているものと考えられる。このため、上記ナノ粒子解析システムではナノサイズの微細気泡の気泡径及び個数を測定することができなかった。
【００８６】
（実施例４１〜４８及び比較例６１〜７２）
表１１に示すように、実施例４１〜４８及び比較例６２〜７２については、貯留槽１０内に２０℃の水を２[Ｌ]導入し、貯留槽１０内の貯留水を送水ユニットＷＳＵによって２[Ｌ/ｍｉｎ]で１０分間循環させながら、陽極２２及び陰極２３が流路形成体４４内の流水と接触している電解素子２１の電極（陽極２２、陰極２３）間に１．２３[Ｖ]の直流電圧を印加することで流路形成体４４内の流水中に酸素気泡及び水素気泡を発生させると共に、振動子３１によって、流路形成体４４内の流水に振動を連続的に印加した。なお、気泡発生時間及び振動印加時間は、水の循環時間と同様に１０分間であり、このとき流水に印加した振動の周波数、振幅及び強度は表１１に示す通りである。一方、表１１に示すように、比較例６１については、貯留槽１０内に２０℃の水を２[Ｌ]導入し、貯留槽１０内の貯留水を送水ユニットＷＳＵによって２[Ｌ/ｍｉｎ]で１０分間循環させながら、電解素子２１の電極間に１．２３[Ｖ]の直流電圧を印加することで流路形成体４４内の流水中に酸素気泡及び水素気泡を発生させたが、振動を印加しなかった。
【００８７】
なお、振動の振幅及び強度については、実施例３３〜４０及び比較例４９〜６０の場合と同様に算出した。
【００８８】
【表１１】
2020179667.tif 000013
【００８９】
実施例４１〜４８及び比較例６１〜７２について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表１２に示した。
【００９０】
【表１２】
2020179667.tif 000014
【００９１】
表１２から分かるように、振動子３１による印加振動の強度Ｉが８．５６×１０１２[Ｗ／ｍ２]以上である実施例４１〜４８については、得られた生成水が透明であり、生成水１ｍｌ中には、平均気泡径が１００ｎｍ前後の酸素微細気泡及び水素微細気泡が４．０×１０７個〜２．２×１０８個存在していることが確認できた。流水中に酸素気泡及び水素気泡を発生させながら、強度Ｉが８．５６×１０１２[Ｗ／ｍ２]以上の振動を印加することによって、発生した酸素気泡及び水素気泡の気泡径が１００ｎｍ前後まで縮小し、これによって生成水が透明になったものと考えられる。
【００９２】
これに対して、振動を印加しなかった比較例６１や印加振動の強度Ｉが８．５６×１０１２[Ｗ／ｍ２]を下回っている比較例６２〜７２については、得られた生成水が白濁しており、３μｍ以上の酸素気泡及び水素気泡が多量に生成されているものと考えられる。このため、上記ナノ粒子解析システムではナノサイズの微細気泡の気泡径及び個数を測定することができなかった。
【００９３】
＜実施形態４＞
図８は、他の実施形態を示している。同図に示すように、この微細気泡含有水生成装置４は、水を貯留する貯留槽１０と、この貯留槽１０に貯留された水を吸い上げて送出する送水ユニットＷＳＵと、この送水ユニットＷＳＵによる送水途中の水に微細気泡を供給することで、微細気泡含有水を生成する微細気泡含有水生成ユニットＢＷＵとを備えており、微細気泡含有水生成ユニットＢＷＵによって生成された微細気泡含有水が送水ユニットＷＳＵによって貯留槽１０に戻されるようになっている点で、上述した微細気泡含有水生成装置３と同様の構成を有しているが、微細気泡含有水生成ユニットＢＷＵが流路形成体４４内を流れる水に振動を印加する振動印加手段を有しておらず、流路形成体４４内を流れる水を渦流化する渦流化ユニット５０が設けられている点で、微細気泡含有水生成装置３とは構成を異にしており、流路形成体４４内では渦流化した流水に気泡が供給されるようになっている。
【００９４】
前記渦流化ユニット５０は、流路形成体４４内に回転可能に配設されたスクリュープロペラ５１と、このスクリュープロペラ５１を回転させる駆動モータ５２とから構成されており、駆動モータ５２は、スクリュープロペラ５１の回転数を調整することができるようになっている。
【００９５】
以下、上述した微細気泡含有水生成装置４を用いて含オゾン酸素及び水素の微細気泡の含有水を生成する本発明の実施例４９〜５１及び比較例７３、酸素及び水素の微細気泡の含有水を生成する本発明の実施例５２〜５４及び比較例７４について、表１３〜表１６を参照しながら説明するが、本発明は以下の実施例に限定されるものではないことはいうまでもない。
【００９６】
（実施例４９〜５１及び比較例７３）
表１３に示すように、実施例４９〜５１については、貯留槽１０内に２０℃の水を２[Ｌ]導入し、貯留槽１０内の貯留水を送水ユニットＷＳＵによって２[Ｌ/ｍｉｎ]で１０分間循環させながら、陽極２２及び陰極２３が流路形成体４４内の流水と接触している電解素子２１の電極（陽極２２、陰極２３）間に１２[Ｖ]の直流電圧を印加することで流路形成体４４内の流水中に含オゾン酸素気泡及び水素気泡を発生させると共に、渦流化ユニット５０によって、流路形成体４４内の流水を渦流化した。なお、気泡発生時間は、水の循環時間と同様に１０分間であり、このとき流水を渦流化したスクリュープロペラ５１の回転数は表１３に示す通りである。一方、表１３に示すように、比較例７３については、貯留槽１０内に２０℃の水を２[Ｌ]導入し、貯留槽１０内の貯留水を送水ユニットＷＳＵによって２[Ｌ/ｍｉｎ]で１０分間循環させながら、電解素子２１の電極間に１２[Ｖ]の直流電圧を印加することで流路形成体４４内の流水中に含オゾン酸素気泡及び水素気泡を発生させたが、流水を渦流化しなかった。
【００９７】
【表１３】
2020179667.tif 000015
【００９８】
実施例４９〜５１及び比較例７３について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表１４に示した。
【００９９】
【表１４】
2020179667.tif 000016
【０１００】
表１４から分かるように、渦流化した流水に気泡を供給した実施例４９〜５１については、得られた生成水が透明であり、生成水１ｍｌ中には、平均気泡径が１００ｎｍ程度の含オゾン酸素微細気泡及び水素微細気泡が８．２×１０５個〜７．６×１０８個存在していることが確認できた。渦流化した流水に含オゾン酸素気泡及び水素気泡を発生させることによって、発生した含オゾン酸素気泡及び水素気泡の気泡径が１００ｎｍ前後まで縮小し、これによって生成水が透明になったものと考えられる。
【０１０１】
これに対して、渦流化せず、層流状態の流水に気泡を供給した比較例７３については、得られた生成水が白濁しており、３μｍ以上の含オゾン酸素気泡及び水素気泡が多量に生成されているものと考えられる。このため、上記ナノ粒子解析システムではナノサイズの微細気泡の気泡径及び個数を測定することができなかった。
【０１０２】
（実施例５２〜５４及び比較例７４）
表１５に示すように、実施例５２〜５４については、貯留槽１０内に２０℃の水を２[Ｌ]導入し、貯留槽１０内の貯留水を送水ユニットＷＳＵによって２[Ｌ/ｍｉｎ]で１０分間循環させながら、陽極２２及び陰極２３が流路形成体４４内の流水と接触している電解素子２１の電極（陽極２２、陰極２３）間に１．２３[Ｖ]の直流電圧を印加することで流路形成体４４内の流水中に酸素気泡及び水素気泡を発生させると共に、渦流化ユニット５０によって、流路形成体４４内の流水を渦流化した。なお、気泡発生時間は、水の循環時間と同様に１０分間であり、このとき流水を渦流化したスクリュープロペラ５１の回転数及び流水状態は表１５に示す通りである。一方、表１５に示すように、比較例７４については、貯留槽１０内に２０℃の水を２[Ｌ]導入し、貯留槽１０内の貯留水を送水ユニットＷＳＵによって２[Ｌ/ｍｉｎ]で１０分間循環させながら、電解素子２１の電極間に１．２３[Ｖ]の直流電圧を印加することで流路形成体４４内の流水中に酸素気泡及び水素気泡を発生させたが、流水を渦流化しなかった。
【０１０３】
【表１５】
2020179667.tif 000017
【０１０４】
実施例５２〜５４及び比較例７４について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表１６に示した。
【０１０５】
【表１６】
2020179667.tif 000018
【０１０６】
表１６から分かるように、渦流化した流水に気泡を供給した実施例５２〜５４については、得られた生成水が透明であり、生成水１ｍｌ中には、平均気泡径が１００ｎｍ程度の酸素微細気泡及び水素微細気泡が４．６×１０５個〜５．５×１０７個存在していることが確認できた。渦流化した流水に酸素気泡及び水素気泡を発生させることによって、発生した酸素気泡及び水素気泡の気泡径が１００ｎｍ前後まで縮小し、これによって生成水が透明になったものと考えられる。
【０１０７】
これに対して、渦流化せず、層流状態の流水に気泡を供給した比較例７４については、得られた生成水が白濁しており、３μｍ以上の酸素気泡及び水素気泡が多量に生成されているものと考えられる。このため、上記ナノ粒子解析システムではナノサイズの微細気泡の気泡径及び個数を測定することができなかった。
【０１０８】
＜実施形態５＞
図９は、他の実施形態を示している。同図に示すように、この微細気泡含有水生成装置５は、水を貯留する貯留槽１０と、この貯留槽１０に貯留された水を吸い上げて送出する送水ユニットＷＳＵと、この送水ユニットＷＳＵによる送水途中の水に微細気泡を供給することで、微細気泡含有水を生成する微細気泡含有水生成ユニットＢＷＵとを備えており、微細気泡含有水生成ユニットＢＷＵによって生成された微細気泡含有水が送水ユニットＷＳＵによって貯留槽１０に戻されるようになっている点で、上述した微細気泡含有水生成装置３と同様の構成を有しているが、微細気泡含有水生成ユニットＢＷＵが流路形成体４４内を流れる水に振動を印加する振動印加手段を有しておらず、断面積が２ｃｍ２の流路形成体４４内の流水が乱流状態となるように、流路形成体４４内の流速が調整されている点で、微細気泡含有水生成装置３とは構成を異にしており、流路形成体４４内では乱流状態の流水に気泡が供給されるようになっている。
【０１０９】
以下、上述した微細気泡含有水生成装置５を用いて含オゾン酸素及び水素の微細気泡の含有水を生成する本発明の実施例５５〜５７及び比較例７５〜７７、酸素及び水素の微細気泡の含有水を生成する本発明の実施例５８〜６０及び比較例７８〜８０について、表１７〜表２０を参照しながら説明するが、本発明は以下の実施例に限定されるものではないことはいうまでもない。
【０１１０】
（実施例５５〜５７及び比較例７５〜７７）
表１７に示すように、実施例５５〜５７については、貯留槽１０内に２０℃の水を１０[Ｌ]導入し、貯留槽１０内の貯留水を送水ユニットＷＳＵによって２５分間循環させながら、陽極２２及び陰極２３が流路形成体４４内の流水と接触している電解素子２１の電極（陽極２２、陰極２３）間に１２[Ｖ]の直流電圧を印加することで流路形成体４４内の流水中に含オゾン酸素気泡及び水素気泡を発生させると共に、循環流量を調整することによって、流路形成体４４内の流水を乱流化した。一方、表１７に示すように、比較例７５〜７７については、貯留槽１０内に２０℃の水を１０[Ｌ]導入し、貯留槽１０内の貯留水を送水ユニットＷＳＵによって２５分間循環させながら、電解素子２１の電極間に１２[Ｖ]の直流電圧を印加することで流路形成体４４内の流水中に含オゾン酸素気泡及び水素気泡を発生させたが、流路形成体４４内の流水を乱流化しなかった。なお、気泡発生時間は、水の循環時間と同様に２５分間であり、循環流量及び流路形成体４４内の流速は表１７に示す通りである。
【０１１１】
【表１７】
2020179667.tif 000019
【０１１２】
実施例５５〜５７及び比較例７５〜７７について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表１８に示した。
【０１１３】
【表１８】
2020179667.tif 000020
【０１１４】
表１８から分かるように、乱流化した流水に気泡を供給した実施例５５〜５７については、得られた生成水が透明であり、生成水１ｍｌ中には、平均気泡径が１００ｎｍ程度の含オゾン酸素微細気泡及び水素微細気泡が５．６×１０７個〜９．１×１０８個存在していることが確認できた。渦流化した流水に含オゾン酸素気泡及び水素気泡を発生させることによって、発生した含オゾン酸素気泡及び水素気泡の気泡径が１００ｎｍ前後まで縮小し、これによって生成水が透明になったものと考えられる。
【０１１５】
これに対して、乱流化せず、層流状態の流水に気泡を供給した比較例７５〜７７については、得られた生成水が白濁しており、３μｍ以上の含オゾン酸素気泡及び水素気泡が多量に生成されているものと考えられる。このため、上記ナノ粒子解析システムではナノサイズの微細気泡の気泡径及び個数を測定することができなかった。
【０１１６】
（実施例５８〜６０及び比較例７８〜８０）
表１９に示すように、実施例５８〜６０については、貯留槽１０内に２０℃の水を１０[Ｌ]導入し、貯留槽１０内の貯留水を送水ユニットＷＳＵによって２５分間循環させながら、陽極２２及び陰極２３が流路形成体４４内の流水と接触している電解素子２１の電極（陽極２２、陰極２３）間に１．２３[Ｖ]の直流電圧を印加することで流路形成体４４内の流水中に酸素気泡及び水素気泡を発生させると共に、循環流量を調整することによって、流路形成体４４内の流水を乱流化した。一方、表１９に示すように、比較例７８〜８０については、貯留槽１０内に２０℃の水を１０[Ｌ]導入し、貯留槽１０内の貯留水を送水ユニットＷＳＵによって２５分間循環させながら、電解素子２１の電極間に１．２３[Ｖ]の直流電圧を印加することで流路形成体４４内の流水中に酸素気泡及び水素気泡を発生させたが、流路形成体４４内の流水を乱流化しなかった。なお、気泡発生時間は、水の循環時間と同様に２５分間であり、循環流量及び流路形成体４４内の流速は表１９に示す通りである。
【０１１７】
【表１９】
2020179667.tif 000021
【０１１８】
実施例５８〜６０及び比較例７８〜８０について、水の循環を停止した後、１５分経過した時点の貯留槽１０内の貯留水（生成水）に含まれる微細気泡の気泡径（モード径）及び個数をナノ粒子解析システム（マルバーン製  ナノサイト  ＬＭ１０）を用いて測定し、その結果を表２０に示した。
【０１１９】
【表２０】
2020179667.tif 000022
【０１２０】
表２０から分かるように、乱流化した流水に気泡を供給した実施例５８〜６０については、得られた生成水が透明であり、生成水１ｍｌ中には、平均気泡径が１００ｎｍ程度の酸素微細気泡及び水素微細気泡が７．２×１０７個〜８．６×１０８個存在していることが確認できた。渦流化した流水に酸素気泡及び水素気泡を発生させることによって、発生した酸素気泡及び水素気泡の気泡径が１００ｎｍ前後まで縮小し、これによって生成水が透明になったものと考えられる。
【０１２１】
これに対して、乱流化せず、層流状態の流水に気泡を供給した比較例７８〜８０については、得られた生成水が白濁しており、３μｍ以上の酸素気泡及び水素気泡が多量に生成されているものと考えられる。このため、上記ナノ粒子解析システムではナノサイズの微細気泡の気泡径及び個数を測定することができなかった。
【０１２２】
＜実施形態６＞
図１０は、他の実施形態を示している。同図に示すように、この微細気泡含有水生成装置６は、水を貯留する貯留槽と、この貯留槽に貯留された水を循環させる送水ユニットＷＳＵと、この送水ユニットＷＳＵによる送水途中の水に微細気泡を供給することで微細気泡含有水を生成する微細気泡含有水生成ユニットＢＷＵとを備えており、その微細気泡含有水生成ユニットＢＷＵが流路形成体４４内を流れる水に振動を印加する振動印加手段３０を有している点で、上述した微細気泡含有水生成装置３と同様の構成を有しているが、微細気泡含有水生成ユニットＢＷＵを構成している流路形成体４４を、電解素子２１を隔壁の一部として、流水が電解素子２１の陽極２２だけに接触する陽極側流水路ＰＣと、流水が電解素子２１の陰極２３だけに接触する陰極側流水路ＮＣとに区画し、陽極側流水路ＰＣ内の流水に振動を印加する陽極側振動子３１ｐ及び陰極側流水路ＮＣ内の流水に振動を印加する陰極側振動子３１ｎをそれぞれ設けると共に、陽極側流水路ＰＣ及び陰極側流水路ＮＣのそれぞれに対応する送水ユニットＷＳＵ及び貯留槽１０ｐ、１０ｎを設け、それぞれの貯留槽１０ｐ、１０ｎから吸い上げた水が、陽極側流水路ＰＣ及び陰極側流水路ＮＣのそれぞれを通過してそれぞれの貯留槽１０ｐ、１０ｎに戻されるようになっている点で、微細気泡含有水生成装置３とは構成を異にしている。
【０１２３】
従って、この微細気泡含有水生成装置６では、微細気泡含有水生成ユニットＢＷＵの陽極側流水路ＰＣを通過する流水に含オゾン酸素微細気泡または酸素微細気泡が供給され、生成された含オゾン酸素微細気泡含有水または酸素微細気泡含有水が貯留槽１０ｐに戻されると共に、微細気泡含有水生成ユニットＢＷＵの陰極側流水路ＮＣを通過する流水に水素微細気泡が供給され、生成された水素微細気泡含有水が貯留槽１０ｎに戻されるので、含オゾン酸素微細気泡含有水または酸素微細気泡含有水と、水素微細気泡含有水とを個別に生成することができる。以下、上述した微細気泡含有水生成装置６を用いて含オゾン酸素微細気泡含有水を生成する本発明の実施例６１〜６８及び比較例８１〜９２、酸素微細気泡含有水を生成する本発明の実施例６９〜７６及び比較例９３〜１０４、水素微細気泡含有水をそれぞれ生成する本発明の実施例７７〜８４及び比較例１０５〜１１６について、表２１〜表２６を参照しながら説明するが、本発明は以下の実施例に限定されるものではないことはいうまでもない。
【０１２４】
（実施例６１〜６８及び比較例８１〜９２）
表２１に示すように、実施例６１〜６８及び比較例８２〜９２については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、陽極２２が陽極側流水路ＰＣ内の流水と接触している電解素子２１の電極（陽極２２、陰極２３）間に１２[Ｖ]の直流電圧を印加することで陽極側流水路ＰＣ内の流水中に含オゾン酸素気泡を発生させると共に、陽極側振動子３１ｐによって、陽極側流水路ＰＣ内の流水に振動を連続的に印加した。このとき陽極側振動子３１ｐが水に印加した振動の周波数、振幅及び強度は表２１に示す通りである。一方、表２１に示すように、比較例８１については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、電解素子２１の電極間に１２[Ｖ]の直流電圧を印加することで陽極側流水路ＰＣ内の流水中に含オゾン酸素気泡を発生させたが、振動を印加しなかった。
【０１２５】
なお、振動の振幅については、流路形成体４４の陽極側流水路ＰＣ内の水中に浸漬されたユニモルフ型の圧電素子（（株）富士セラミックス製  Ｃ−８）が、陽極側振動子３１ｐによる印加振動を受けて発生する振幅電圧Ｖを測定し、この測定振幅電圧Ｖ及び圧電素子の等価圧電定数ｄ３１から上述した式（２）より算出すると共に、振動の強度については、陽極側振動子３１ｐが水に印加した振動の周波数及び上述した式（２）より算出した振幅から上述した式（３）より算出した。
【０１２６】
【表２１】
2020179667.tif 000023
【０１２７】
実施例６１〜６８及び比較例８１〜９２について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表２２に示した。
【０１２８】
【表２２】
2020179667.tif 000024
【０１２９】
表２２から分かるように、陽極側振動子３１ｐによる印加振動の強度Ｉが８．５６×１０１２[Ｗ／ｍ２]以上である実施例６１〜６８については、得られた生成水が透明であり、生成水１ｍｌ中には、平均気泡径が１００ｎｍ前後の含オゾン酸素微細気泡が４．８×１０８個〜８．２×１０８個存在していることが確認できた。流水中に含オゾン酸素気泡を発生させながら、強度Ｉが８．５６×１０１２[Ｗ／ｍ２]以上の振動を印加することによって、発生した含オゾン酸素気泡の気泡径が１００ｎｍ前後まで縮小し、これによって生成水が透明になったものと考えられる。
【０１３０】
これに対して、振動を印加しなかった比較例８１や印加振動の強度Ｉが８．５６×１０１２[Ｗ／ｍ２]を下回っている比較例８２〜９２については、得られた生成水が白濁しており、３μｍ以上の含オゾン酸素気泡が多量に生成されているものと考えられる。このため、上記ナノ粒子解析システムではナノサイズの微細気泡の気泡径及び個数を測定することができなかった。
【０１３１】
（実施例６９〜７６及び比較例９３〜１０４）
表２３に示すように、実施例６９〜７６及び比較例９４〜１０４については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、陽極２２が陽極側流水路ＰＣ内の流水と接触している電解素子２１の電極（陽極２２、陰極２３）間に１．２３[Ｖ]の直流電圧を印加することで陽極側流水路ＰＣ内の流水中に酸素気泡を発生させると共に、陽極側振動子３１ｐによって、陽極側流水路ＰＣ内の流水に振動を連続的に印加した。このとき陽極側振動子３１ｐが水に印加した振動の周波数、振幅及び強度は表２３に示す通りである。一方、表２３に示すように、比較例９３については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、電解素子２１の電極間に１．２３[Ｖ]の直流電圧を印加することで陽極側流水路ＰＣ内の流水中に酸素気泡を発生させたが、振動を印加しなかった。
【０１３２】
なお、振動の振幅及び強度については、実施例６１〜６８及び比較例８１〜９２の場合と同様に算出した。
【０１３３】
【表２３】
2020179667.tif 000025
【０１３４】
実施例６９〜７６及び比較例９３〜１０４について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表２４に示した。
【０１３５】
【表２４】
2020179667.tif 000026
【０１３６】
表２４から分かるように、陽極側振動子３１ｐによる印加振動の強度Ｉが８．５６×１０１２[Ｗ／ｍ２]以上である実施例６９〜７６については、得られた生成水が透明であり、生成水１ｍｌ中には、平均気泡径が１００ｎｍ前後の酸素微細気泡が４．２×１０７個〜１．６×１０８個存在していることが確認できた。流水中に酸素気泡を発生させながら、強度Ｉが８．５６×１０１２[Ｗ／ｍ２]以上の振動を印加することによって、発生した酸素気泡の気泡径が１００ｎｍ前後まで縮小し、これによって生成水が透明になったものと考えられる。
【０１３７】
これに対して、振動を印加しなかった比較例９３や印加振動の強度Ｉが８．５６×１０１２[Ｗ／ｍ２]を下回っている比較例９４〜１０４については、得られた生成水が白濁しており、３μｍ以上の酸素気泡が多量に生成されているものと考えられる。このため、上記ナノ粒子解析システムではナノサイズの微細気泡の気泡径及び個数を測定することができなかった。
【０１３８】
（実施例７７〜８４及び比較例１０５〜１１６）
表２５に示すように、実施例７７〜８４及び比較例１０６〜１１６については、貯留槽１０ｐ及び貯留槽１０ｎに２０℃の水をそれぞれ１[Ｌ]導入し、流路形成体４４の陽極側流水路ＰＣ及び陰極側流水路ＮＣに水を充満させた状態で、送水ユニットＷＳＵによって、貯留槽１０ｎ内の貯留水を流路形成体４４の陰極側流水路ＮＣ内を通して１[Ｌ/ｍｉｎ]で１０分間循環させながら、陽極２２が陽極側流水路ＰＣ内の水と、陰極２３が陰極側流水路ＮＣ内の流水とそれぞれ接触している電解素子２１の電極（陽極２２、陰極２３）間に６[Ｖ]の直流電圧を印加することで陰極側流水路ＮＣ内の流水中に水素気泡を発生させると共に、陰極側振動子３１ｎによって、陰極側流水路ＮＣ内の流水に振動を連続的に印加した。このとき陰極側振動子３１ｎが水に印加した振動の周波数、振幅及び強度は表２５に示す通りである。一方、表２５に示すように、比較例１０５については、貯留槽１０ｐ及び貯留槽１０ｎに２０℃の水をそれぞれ１[Ｌ]導入し、送水ユニットＷＳＵによって、貯留槽１０ｐ及び貯留槽１０ｎ内の貯留水をそれぞれ流路形成体４４の陽極側流水路ＰＣ及び陰極側流水路ＮＣ内を通して１[Ｌ/ｍｉｎ]で１０分間循環させながら、電解素子２１の電極間に６[Ｖ]の直流電圧を印加することで陰極側流水路ＮＣ内の流水中に水素気泡を発生させたが、振動を印加しなかった。
【０１３９】
なお、振動の振幅については、流路形成体４４の陰極側流水路ＮＣ内の水中に浸漬されたユニモルフ型の圧電素子（（株）富士セラミックス製  Ｃ−８）が、陰極側振動子３１ｎによる印加振動を受けて発生する振幅電圧Ｖを測定し、この測定振幅電圧Ｖ及び圧電素子の等価圧電定数ｄ３１から上述した式（２）より算出すると共に、振動の強度については、陰極側振動子３１ｎが水に印加した振動の周波数及び上述した式（２）より算出した振幅から上述した式（３）より算出した。
【０１４０】
【表２５】
2020179667.tif 000027
【０１４１】
実施例７７〜８４及び比較例１０５〜１１６について、水の循環を停止した後、１５分経過した時点の貯留槽１０ｎ内の貯留水（生成水）に含まれる微細気泡の気泡径（モード径）及び個数をナノ粒子解析システム（マルバーン製  ナノサイト  ＬＭ１０）を用いて測定し、その結果を表２６に示した。
【０１４２】
【表２６】
2020179667.tif 000028
【０１４３】
表２６から分かるように、陽極側振動子３１ｎによる印加振動の強度Ｉが８．５６×１０１２[Ｗ／ｍ２]以上である実施例７７〜８４については、得られた生成水が透明であり、生成水１ｍｌ中には、平均気泡径が１００ｎｍ前後の水素微細気泡が２．６×１０８個〜６．４×１０８個存在していることが確認できた。流水中に水素気泡を発生させながら、強度Ｉが８．５６×１０１２[Ｗ／ｍ２]以上の振動を印加することによって、発生した水素気泡の気泡径が１００ｎｍ前後まで縮小し、これによって生成水が透明になったものと考えられる。
【０１４４】
これに対して、振動を印加しなかった比較例１０５や印加振動の強度Ｉが８．５６×１０１２[Ｗ／ｍ２]を下回っている比較例１０６〜１１６については、得られた生成水が白濁しており、３μｍ以上の酸素気泡が多量に生成されているものと考えられる。このため、上記ナノ粒子解析システムではナノサイズの微細気泡の気泡径及び個数を測定することができなかった。
【０１４５】
＜実施形態７＞
図１１は、他の実施形態を示している。同図に示すように、この微細気泡含有水生成装置７は、水を貯留する貯留槽と、この貯留槽に貯留された水を循環させる送水ユニットＷＳＵと、この送水ユニットＷＳＵによる送水途中の水に微細気泡を供給することで微細気泡含有水を生成する微細気泡含有水生成ユニットＢＷＵとを備えており、その微細気泡含有水生成ユニットＢＷＵが流路形成体４４内を流れる水を渦流化する渦流化ユニット５０を有している点で、上述した微細気泡含有水生成装置４と同様の構成を有しているが、微細気泡含有水生成ユニットＢＷＵを構成している流路形成体４４を、電解素子２１を隔壁の一部として、流水が電解素子２１の陽極２２だけに接触する陽極側流水路ＰＣと、流水が電解素子２１の陰極２３だけに接触する陰極側流水路ＮＣとに区画し、陽極側流水路ＰＣ内の流水及び陰極側流水路ＮＣ内の流水をそれぞれ渦流化する渦流化ユニット５０を設けると共に、陽極側流水路ＰＣ及び陰極側流水路ＮＣのそれぞれに対応する送水ユニットＷＳＵ及び貯留槽１０ｐ、１０ｎを設け、それぞれの貯留槽１０ｐ、１０ｎから吸い上げた水が、陽極側流水路ＰＣ及び陰極側流水路ＮＣのそれぞれを通過してそれぞれの貯留槽１０ｐ、１０ｎに戻されるようになっている点で、微細気泡含有水生成装置４とは構成を異にしている。
【０１４６】
従って、この微細気泡含有水生成装置７では、上述した微細気泡含有水生成装置６と同様に、微細気泡含有水生成ユニットＢＷＵの陽極側流水路ＰＣを通過する流水に含オゾン酸素微細気泡または酸素微細気泡が供給され、生成された含オゾン酸素微細気泡含有水または酸素微細気泡含有水が貯留槽１０ｐに戻されると共に、微細気泡含有水生成ユニットＢＷＵの陰極側流水路ＮＣを通過する流水に水素微細気泡が供給され、生成された水素微細気泡含有水が貯留槽１０ｎに戻されるので、含オゾン酸素微細気泡含有水または酸素微細気泡含有水と、水素微細気泡含有水とを個別に生成することができる。以下、上述した微細気泡含有水生成装置７を用いて含オゾン酸素微細気泡含有水を生成する本発明の実施例８５〜８７及び比較例１１７、酸素微細気泡含有水を生成する本発明の実施例８８〜９０及び比較例１１８、水素微細気泡含有水をそれぞれ生成する本発明の実施例９１〜９３及び比較例１１９について、表２７〜表３２を参照しながら説明するが、本発明は以下の実施例に限定されるものではないことはいうまでもない。
【０１４７】
（実施例８５〜８７及び比較例１１７）
表２７に示すように、実施例８５〜８７については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、陽極２２が陽極側流水路ＰＣ内の流水と接触している電解素子２１の電極（陽極２２、陰極２３）間に１２[Ｖ]の直流電圧を印加することで陽極側流水路ＰＣ内の流水中に含オゾン酸素気泡を発生させると共に、渦流化ユニット５０によって、陽極側流水路ＰＣ内の流水を渦流化した。なお、気泡発生時間は、水の循環時間と同様に１０分間であり、このとき流水を渦流化したスクリュープロペラ５１の回転数は表２７に示す通りである。一方、表２７に示すように、比較例１１７については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、電解素子２１の電極間に１２[Ｖ]の直流電圧を印加することで陽極側流水路ＰＣ内の流水中に含オゾン酸素気泡を発生させたが、流水を渦流化しなかった。
【０１４８】
【表２７】
2020179667.tif 000029
【０１４９】
実施例８５〜８７及び比較例１１７について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表２８に示した。
【０１５０】
【表２８】
2020179667.tif 000030
【０１５１】
表２８から分かるように、渦流化した流水に気泡を供給した実施例８５〜８７については、得られた生成水が透明であり、生成水１ｍｌ中には、平均気泡径が１００ｎｍ程度の含オゾン酸素微細気泡が７．１×１０５個〜３．３×１０８個存在していることが確認できた。渦流化した流水に含オゾン酸素気泡を発生させることによって、発生した含オゾン酸素気泡の気泡径が１００ｎｍ前後まで縮小し、これによって生成水が透明になったものと考えられる。
【０１５２】
これに対して、渦流化せず、層流状態の流水に気泡を供給した比較例１１７については、得られた生成水が白濁しており、３μｍ以上の含オゾン酸素気泡が多量に生成されているものと考えられる。このため、上記ナノ粒子解析システムではナノサイズの微細気泡の気泡径及び個数を測定することができなかった。
【０１５３】
（実施例８８〜９０及び比較例１１８）
表２９に示すように、実施例８８〜９０については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、陽極２２が陽極側流水路ＰＣ内の流水と接触している電解素子２１の電極（陽極２２、陰極２３）間に１．２３[Ｖ]の直流電圧を印加することで陽極側流水路ＰＣ内の流水中に酸素気泡を発生させると共に、渦流化ユニット５０によって、陽極側流水路ＰＣ内の流水を渦流化した。なお、気泡発生時間は、水の循環時間と同様に１０分間であり、このとき流水を渦流化したスクリュープロペラ５１の回転数は表２９に示す通りである。一方、表２９に示すように、比較例１１８については、貯留槽１０ｐ内に２０℃の水を１[Ｌ]導入し、送水ユニットＷＳＵによって、貯留槽１０ｐ内の貯留水を流路形成体４４の陽極側流水路ＰＣ内を通して１[Ｌ/ｍｉｎ]で１０分間循環させながら、電解素子２１の電極間に１．２３[Ｖ]の直流電圧を印加することで陽極側流水路ＰＣ内の流水中に酸素気泡を発生させたが、流水を渦流化しなかった。
【０１５４】
【表２９】
2020179667.tif 000031
【０１５５】
実施例８８〜９０及び比較例１１８について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表３０に示した。
【０１５６】
【表３０】
2020179667.tif 000032
【０１５７】
表３０から分かるように、渦流化した流水に気泡を供給した実施例８８〜９０については、得られた生成水が透明であり、生成水１ｍｌ中には、平均気泡径が１００ｎｍ程度の酸素微細気泡が８．２×１０５個〜５．５×１０７個存在していることが確認できた。渦流化した流水に酸素気泡を発生させることによって、発生した酸素気泡の気泡径が１００ｎｍ前後まで縮小し、これによって生成水が透明になったものと考えられる。
【０１５８】
これに対して、渦流化せず、層流状態の流水に気泡を供給した比較例１１８については、得られた生成水が白濁しており、３μｍ以上の酸素気泡が多量に生成されているものと考えられる。このため、上記ナノ粒子解析システムではナノサイズの微細気泡の気泡径及び個数を測定することができなかった。
【０１５９】
（実施例９１〜９３及び比較例１１９）
表３１に示すように、実施例９１〜９３については、貯留槽１０ｎに２０℃の水をそれぞれ１[Ｌ]導入し、流路形成体４４の陽極側流水路ＰＣ及び陰極側流水路ＮＣに水を充満させた状態で、送水ユニットＷＳＵによって、貯留槽１０ｎ内の貯留水を流路形成体４４の陰極側流水路ＮＣ内を通して１[Ｌ/ｍｉｎ]で１０分間循環させながら、陽極２２が陽極側流水路ＰＣ内の水と、陰極２３が陰極側流水路ＮＣ内の流水とそれぞれ接触している電解素子２１の電極（陽極２２、陰極２３）間に６[Ｖ]の直流電圧を印加することで陰極側流水路ＮＣ内の流水中に水素気泡を発生させると共に、渦流化ユニット５０によって、陰極側流水路ＮＣ内の流水を渦流化した。なお、気泡発生時間は、水の循環時間と同様に１０分間であり、このとき流水を渦流化したスクリュープロペラ５１の回転数は表３１に示す通りである。一方、表３１に示すように、比較例１１９については、貯留槽１０ｎに２０℃の水をそれぞれ１[Ｌ]導入し、流路形成体４４の陽極側流水路ＰＣ及び陰極側流水路ＮＣに水を充満させた状態で、送水ユニットＷＳＵによって、貯留槽１０ｎ内の貯留水を流路形成体４４の陰極側流水路ＮＣ内を通して１[Ｌ/ｍｉｎ]で１０分間循環させながら、陽極２２が陽極側流水路ＰＣ内の水と、陰極２３が陰極側流水路ＮＣ内の流水とそれぞれ接触している電解素子２１の電極（陽極２２、陰極２３）間に６[Ｖ]の直流電圧を印加することで陰極側流水路ＮＣ内の流水中に水素気泡を発生させたが、流水を渦流化しなかった。
【０１６０】
【表３１】
2020179667.tif 000033
【０１６１】
実施例９１〜９３及び比較例１１９について、水の循環を停止した後、１５分経過した時点の貯留槽１０ｎ内の貯留水（生成水）に含まれる微細気泡の気泡径（モード径）及び個数をナノ粒子解析システム（マルバーン製  ナノサイト  ＬＭ１０）を用いて測定し、その結果を表３２に示した。
【０１６２】
【表３２】
2020179667.tif 000034
【０１６３】
表３２から分かるように、渦流化した流水に気泡を供給した実施例９１〜９３については、得られた生成水が透明であり、生成水１ｍｌ中には、平均気泡径が１００ｎｍ程度の水素微細気泡が７．３×１０５個〜７．２×１０８個存在していることが確認できた。渦流化した流水に水素気泡を発生させることによって、発生した水素気泡の気泡径が１００ｎｍ前後まで縮小し、これによって生成水が透明になったものと考えられる。
【０１６４】
これに対して、渦流化せず、層流状態の流水に気泡を供給した比較例１１９については、得られた生成水が白濁しており、３μｍ以上の水素気泡が多量に生成されているものと考えられる。このため、上記ナノ粒子解析システムではナノサイズの微細気泡の気泡径及び個数を測定することができなかった。
【０１６５】
＜実施形態８＞
図１２は、他の実施形態を示している。同図に示すように、この微細気泡含有水生成装置８は、水を貯留する貯留槽と、この貯留槽に貯留された水を循環させる送水ユニットＷＳＵと、この送水ユニットＷＳＵによる送水途中の水に微細気泡を供給することで微細気泡含有水を生成する微細気泡含有水生成ユニットＢＷＵとを備えており、その微細気泡含有水生成ユニットＢＷＵを構成している流路形成体４４内の流水が乱流状態となるように、流路形成体４４内の流速が調整されている点で、上述した微細気泡含有水生成装置５と同様の構成を有しているが、微細気泡含有水生成ユニットＢＷＵを構成している流路形成体４４を、電解素子２１を隔壁の一部として、流水が電解素子２１の陽極２２だけに接触する陽極側流水路ＰＣと、流水が電解素子２１の陰極２３だけに接触する陰極側流水路ＮＣとに区画し、陽極側流水路ＰＣ内の流水及び陰極側流水路ＮＣ内の流水がそれぞれ乱流状態となるように、陽極側流水路ＰＣ内の流速及び陰極側流水路ＮＣ内の流速がそれぞれ調整されていると共に、陽極側流水路ＰＣ及び陰極側流水路ＮＣのそれぞれに対応する送水ユニットＷＳＵ及び貯留槽１０ｐ、１０ｎを設け、それぞれの貯留槽１０ｐ、１０ｎから吸い上げた水が、陽極側流水路ＰＣ及び陰極側流水路ＮＣのそれぞれを通過してそれぞれの貯留槽１０ｐ、１０ｎに戻されるようになっている点で、微細気泡含有水生成装置５とは構成を異にしている。
【０１６６】
従って、この微細気泡含有水生成装置８では、上述した微細気泡含有水生成装置６と同様に、微細気泡含有水生成ユニットＢＷＵの陽極側流水路ＰＣを通過する流水に含オゾン酸素微細気泡または酸素微細気泡が供給され、生成された含オゾン酸素微細気泡含有水または酸素微細気泡含有水が貯留槽１０ｐに戻されると共に、微細気泡含有水生成ユニットＢＷＵの陰極側流水路ＮＣを通過する流水に水素微細気泡が供給され、生成された水素微細気泡含有水が貯留槽１０ｎに戻されるので、含オゾン酸素微細気泡含有水または酸素微細気泡含有水と、水素微細気泡含有水とを個別に生成することができる。以下、上述した微細気泡含有水生成装置８を用いて含オゾン酸素微細気泡含有水を生成する本発明の実施例９４〜９６及び比較例１２０〜１２２、酸素微細気泡含有水を生成する本発明の実施例９７〜９９及び比較例１２３〜１２５、水素微細気泡含有水を生成する本発明の実施例１００〜１０２及び比較例１２６〜１２８について、表３３〜表３８を参照しながら説明するが、本発明は以下の実施例に限定されるものではないことはいうまでもない。
【０１６７】
（実施例９４〜９６及び比較例１２０〜１２２）
表３３に示すように、実施例９４〜９６については、貯留槽１０ｐ内に２０℃の水を５[Ｌ]導入し、送水ユニットＷＳＵによって、貯留槽１０ｐ内の貯留水を流路形成体４４の陽極側流水路ＰＣ内を通して２５分間循環させながら、陽極２２が陽極側流水路ＰＣ内の流水と接触している電解素子２１の電極（陽極２２、陰極２３）間に１２[Ｖ]の直流電圧を印加することで陽極側流水路ＰＣ内の流水中に含オゾン酸素気泡を発生させると共に、循環流量を調整することによって、陽極側流水路ＰＣ内の流水を乱流化した。一方、表３３に示すように、比較例１２０〜１２２については、貯留槽１０ｐ内に２０℃の水を５[Ｌ]導入し、送水ユニットＷＳＵによって、貯留槽１０ｐ内の貯留水を流路形成体４４の陽極側流水路ＰＣ内を通して２５分間循環させながら、電解素子２１の電極間に１２[Ｖ]の直流電圧を印加することで陽極側流水路ＰＣ内の流水中に含オゾン酸素気泡を発生させたが、陽極側流水路ＰＣ内の流水を乱流化しなかった。なお、気泡発生時間は、水の循環時間と同様に２５分間であり、循環流量及び陽極側流水路ＰＣ内の流速は表３３に示す通りである。
【０１６８】
【表３３】
2020179667.tif 000035
【０１６９】
実施例９４〜９６及び比較例１２０〜１２２について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表３４に示した。
【０１７０】
【表３４】
2020179667.tif 000036
【０１７１】
表３４から分かるように、乱流化した流水に気泡を供給した実施例９４〜９６については、得られた生成水が透明であり、生成水１ｍｌ中には、平均気泡径が１００ｎｍ程度の含オゾン酸素微細気泡が５．５×１０７個〜９．１×１０８個存在していることが確認できた。乱流化した流水に含オゾン酸素気泡を発生させることによって、発生した含オゾン酸素気泡の気泡径が１００ｎｍ前後まで縮小し、これによって生成水が透明になったものと考えられる。
【０１７２】
これに対して、乱流化せず、層流状態の流水に気泡を供給した比較例１２０〜１２２については、得られた生成水が白濁しており、３μｍ以上の含オゾン酸素気泡が多量に生成されているものと考えられる。このため、上記ナノ粒子解析システムではナノサイズの微細気泡の気泡径及び個数を測定することができなかった。
【０１７３】
（実施例９７〜９９及び比較例１２３〜１２５）
表３５に示すように、実施例９７〜９９については、貯留槽１０ｐ内に２０℃の水を５[Ｌ]導入し、送水ユニットＷＳＵによって、貯留槽１０ｐ内の貯留水を流路形成体４４の陽極側流水路ＰＣ内を通して２５分間循環させながら、陽極２２が陽極側流水路ＰＣ内の流水と接触している電解素子２１の電極（陽極２２、陰極２３）間に１．２３[Ｖ]の直流電圧を印加することで陽極側流水路ＰＣ内の流水中に酸素気泡を発生させると共に、循環流量を調整することによって、陽極側流水路ＰＣ内の流水を乱流化した。一方、表３５に示すように、比較例１２３〜１２５については、貯留槽１０ｐ内に２０℃の水を５[Ｌ]導入し、送水ユニットＷＳＵによって、貯留槽１０ｐ内の貯留水を流路形成体４４の陽極側流水路ＰＣ内を通して２５分間循環させながら、電解素子２１の電極間に１．２３[Ｖ]の直流電圧を印加することで陽極側流水路ＰＣ内の流水中に酸素気泡を発生させたが、陽極側流水路ＰＣ内の流水を乱流化しなかった。なお、気泡発生時間は、水の循環時間と同様に２５分間であり、循環流量及び陽極側流水路ＰＣ内の流速は表３５に示す通りである。
【０１７４】
【表３５】
2020179667.tif 000037
【０１７５】
実施例９７〜９９及び比較例１２３〜１２５について、水の循環を停止した後、１５分経過した時点の貯留槽１０ｐ内の貯留水（生成水）に含まれる微細気泡の気泡径（モード径）及び個数をナノ粒子解析システム（マルバーン製  ナノサイト  ＬＭ１０）を用いて測定し、その結果を表３６に示した。
【０１７６】
【表３６】
2020179667.tif 000038
【０１７７】
表３６から分かるように、乱流化した流水に気泡を供給した実施例９７〜９９については、得られた生成水が透明であり、生成水１ｍｌ中には、平均気泡径が１００ｎｍ程度の酸素微細気泡が２．３×１０７個〜５．４×１０８個存在していることが確認できた。乱流化した流水に酸素気泡を発生させることによって、発生した酸素気泡の気泡径が１００ｎｍ前後まで縮小し、これによって生成水が透明になったものと考えられる。
【０１７８】
これに対して、乱流化せず、層流状態の流水に気泡を供給した比較例１２３〜１２５については、得られた生成水が白濁しており、３μｍ以上の酸素気泡が多量に生成されているものと考えられる。このため、上記ナノ粒子解析システムではナノサイズの微細気泡の気泡径及び個数を測定することができなかった。
【０１７９】
（実施例１００〜１０２及び比較例１２６〜１２８）
表３７に示すように、実施例１００〜１０２については、貯留槽１０ｎに２０℃の水をそれぞれ５[Ｌ]導入し、流路形成体４４の陽極側流水路ＰＣ及び陰極側流水路ＮＣに水を充満させた状態で、送水ユニットＷＳＵによって、貯留槽１０ｎ内の貯留水を流路形成体４４の陰極側流水路ＮＣ内を通して２５分間循環させながら、陽極２２が陽極側流水路ＰＣ内の水と、陰極２３が陰極側流水路ＮＣ内の流水とそれぞれ接触している電解素子２１の電極（陽極２２、陰極２３）間に６[Ｖ]の直流電圧を印加することで陰極側流水路ＮＣ内の流水中に水素気泡を発生させると共に、循環流量を調整することによって、陰極側流水路ＮＣ内の流水を乱流化した。一方、表３７に示すように、比較例１２６〜１２８については、貯留槽１０ｐ内に２０℃の水を５[Ｌ]導入し、送水ユニットＷＳＵによって、貯留槽１０ｐ内の貯留水を流路形成体４４の陽極側流水路ＰＣ内を通して２５分間循環させながら、電解素子２１の電極間に６[Ｖ]の直流電圧を印加することで陰極側流水路ＮＣ内の流水中に水素気泡を発生させたが、陽極側流水路ＰＣ内の流水を乱流化しなかった。なお、気泡発生時間は、水の循環時間と同様に２５分間であり、循環流量及び陽極側流水路ＰＣ内の流速は表３７に示す通りである。
【０１８０】
【表３７】
2020179667.tif 000039
【０１８１】
実施例１００〜１０２及び比較例１２６〜１２８について、水の循環を停止した後、１５分経過した時点の貯留槽１０ｎ内の貯留水（生成水）に含まれる微細気泡の気泡径（モード径）及び個数をナノ粒子解析システム（マルバーン製  ナノサイト  ＬＭ１０）を用いて測定し、その結果を表３８に示した。
【０１８２】
【表３８】
2020179667.tif 000040
【０１８３】
表３８から分かるように、乱流化した流水に気泡を供給した実施例１００〜１０２については、得られた生成水が透明であり、生成水１ｍｌ中には、平均気泡径が１００ｎｍ程度の水素微細気泡が６．１×１０７個〜８．８×１０８個存在していることが確認できた。乱流化した流水に水素気泡を発生させることによって、発生した水素気泡の気泡径が１００ｎｍ前後まで縮小し、これによって生成水が透明になったものと考えられる。
【０１８４】
これに対して、乱流化せず、層流状態の流水に気泡を供給した比較例１２６〜１２８については、得られた生成水が白濁しており、３μｍ以上の水素気泡が多量に生成されているものと考えられる。このため、上記ナノ粒子解析システムではナノサイズの微細気泡の気泡径及び個数を測定することができなかった。
【０１８５】
以上のように、上述した微細気泡含有水生成装置１〜８では、電解素子２１によって発生させた含オゾン酸素気泡と水素気泡の混合気泡、酸素気泡と水素気泡の混合気泡、含オゾン酸素気泡、酸素気泡または水素気泡を、直ちに、気泡径が１００ｎｍ前後の含オゾン酸素微細気泡と水素微細気泡の混合微細気泡、酸素微細気泡と水素微細気泡の混合微細気泡、含オゾン酸素微細気泡、酸素微細気泡または水素微細気泡として水中に保持することができるので、従来のように、含オゾン微細気泡含有水を生成するために、微細気泡含有水生成装置とオゾンガス生成装置とを組み合わせたり、酸素微細気泡含有水や水素微細気泡含有水を生成するために酸素ボンベや水素ボンベを微細気泡含有水生成装置に接続したりする必要がなく、簡易な装置で廉価に気泡径が１００ｎｍ前後の微細気泡含有水を生成することができる。
【０１８６】
なお、上述した微細気泡含有水生成装置１、２では、貯留槽１０内の貯留水に気泡を発生させた後、その貯留水に強度Ｉが８．５６×１０１２[Ｗ／ｍ２]以上の振動を印加しているが、これに限定されるものではなく、貯留水に気泡を発生させながら強度Ｉが８．５６×１０１２[Ｗ／ｍ２]以上の振動を印加することも可能である。このように、貯留水に気泡を発生させながら強度Ｉが８．５６×１０１２[Ｗ／ｍ２]以上の強度を有する振動を印加すると、生成水が白濁しにくく、特に、印加振動の強度Ｉを１．００×１０１３[Ｗ／ｍ２]以上にしておくと、生成水が白濁することがないので、気泡径が１００ｎｍ前後の微細気泡の含有水をさらに効率よく生成することができる。
【０１８７】
また、微細気泡含有水生成装置２を用いた実施例９〜３２では、陽極側貯留部ＰＳの貯留水及び陰極側貯留部ＮＳの貯留水のいずれか一方に振動を印加しているが、これに限定されるものではなく、陽極側貯留部ＰＳの貯留水及び陰極側貯留部ＮＳの貯留水の双方に振動を印加することも可能であり、その場合は、貯留槽１０の陽極側貯留部ＰＳに含オゾン酸素微細気泡含有水または酸素微細気泡含有水が、貯留槽１０の陰極側貯留部ＮＳに水素微細気泡含有水が同時に生成されることになる。
【０１８８】
また、微細気泡含有水生成装置６を用いた実施例６１〜８４では、貯留槽１０ｐまたは貯留槽１０ｎ内の貯留水を流路形成体４４の陽極側流水路ＰＣまたは流路形成体４４の陰極側流水路ＮＣ内を通して循環させながら、電解素子２１の電極間に直流電圧を印加することで陽極側流水路ＰＣ内の流水中に含オゾン酸素気泡若しくは酸素気泡を、または、陰極側流水路ＮＣ内の流水中に水素気泡を発生させると共に、陽極側振動子３１ｐまたは陰極側振動子３１ｎによって、陽極側流水路ＰＣまたは陰極側流水路ＮＣ内の流水に振動を印加しているが、これに限定されるものではなく、貯留槽１０ｐ及び貯留槽１０ｎ内の貯留水を流路形成体４４の陽極側流水路ＰＣ及び流路形成体４４の陰極側流水路ＮＣ内を通して同時に循環させながら、電解素子２１の電極間に直流電圧を印加することで、陽極側流水路ＰＣ内の流水中に含オゾン酸素気泡または酸素気泡を、陰極側流水路ＮＣ内の流水中に水素気泡を同時に発生させると共に、陽極側振動子３１ｐ及び陰極側振動子３１ｎによって、陽極側流水路ＰＣ内の流水及び陰極側流水路ＮＣ内の流水に振動を同時に印加することも可能であり、その場合は、貯留槽１０ｐに含オゾン酸素微細気泡含有水または酸素微細気泡含有水が、貯留槽１０ｎに水素微細気泡含有水が同時に生成されることになる。
【０１８９】
また、微細気泡含有水生成装置７を用いた実施例８５〜９３では、貯留槽１０ｐまたは貯留槽１０ｎ内の貯留水を流路形成体４４の陽極側流水路ＰＣまたは流路形成体４４の陰極側流水路ＮＣ内を通して循環させながら、電解素子２１の電極間に直流電圧を印加することで陽極側流水路ＰＣ内の流水中に含オゾン酸素気泡若しくは酸素気泡を、または、陰極側流水路ＮＣ内の流水中に水素気泡を発生させると共に、渦流化ユニット５０によって、陽極側流水路ＰＣまたは陰極側流水路ＮＣ内の流水を渦流化しているが、これに限定されるものではなく、貯留槽１０ｐ及び貯留槽１０ｎ内の貯留水を流路形成体４４の陽極側流水路ＰＣ及び流路形成体４４の陰極側流水路ＮＣ内を通して同時に循環させながら、電解素子２１の電極間に直流電圧を印加することで、陽極側流水路ＰＣ内の流水中に含オゾン酸素気泡または酸素気泡を、陰極側流水路ＮＣ内の流水中に水素気泡を同時に発生させると共に、陽極側流水路ＰＣ内の流水及び陰極側流水路ＮＣ内の流水を同時に渦流化することも可能であり、この場合も、貯留槽１０ｐに含オゾン酸素微細気泡含有水または酸素微細気泡含有水が、貯留槽１０ｎに水素微細気泡含有水が同時に生成されることになる。
【０１９０】
また、微細気泡含有水生成装置８を用いた実施例９４〜１０２では、貯留槽１０ｐまたは貯留槽１０ｎ内の貯留水を流路形成体４４の陽極側流水路ＰＣまたは流路形成体４４の陰極側流水路ＮＣ内を通して循環させながら、電解素子２１の電極間に直流電圧を印加することで陽極側流水路ＰＣ内の流水中に含オゾン酸素気泡若しくは酸素気泡を、または、陰極側流水路ＮＣ内の流水中に水素気泡を発生させると共に、陽極側流水路ＰＣまたは陰極側流水路ＮＣ内の流水を乱流化しているが、これに限定されるものではなく、貯留槽１０ｐ及び貯留槽１０ｎ内の貯留水を流路形成体４４の陽極側流水路ＰＣ及び流路形成体４４の陰極側流水路ＮＣ内を通して同時に循環させながら、電解素子２１の電極間に直流電圧を印加することで、陽極側流水路ＰＣ内の流水中に含オゾン酸素気泡または酸素気泡を、陰極側流水路ＮＣ内の流水中に水素気泡を同時に発生させると共に、陽極側流水路ＰＣ内の流水及び陰極側流水路ＮＣ内の流水を同時に乱流化することも可能であり、この場合も、貯留槽１０ｐに含オゾン酸素微細気泡含有水または酸素微細気泡含有水が、貯留槽１０ｎに水素微細気泡含有水が同時に生成されることになる。
【０１９１】
また、微細気泡含有水生成装置６〜８では、流路形成体４４の陽極側流水路ＰＣ及び陰極側流水路ＮＣ内の流水にそれぞれ振動を印加する振動子３１ｐ、３１ｎを設けたり、流路形成体４４の陽極側流水路ＰＣ及び陰極側流水路ＮＣ内の流水をそれぞれ渦硫化する渦流化ユニット５０を設けたり、流路形成体４４の陽極側流水路ＰＣ及び陰極側流水路ＮＣ内の流水をそれぞれ乱流化するように、陽極側流水路ＰＣ及び陰極側流水路ＮＣ内の流速を調整しているが、これに限定されるものではなく、例えば、流路形成体４４の陽極側流水路ＰＣ内の流水に振動を印加する振動印加手段を設けると共に、流路形成体４４の陰極側流水路ＮＣ内の流水を渦硫化する渦流化手段を設けるといった具合に、陽極側流水路ＰＣ及び陰極側流水路ＮＣに対して、振動印加手段、渦流化手段、乱流化手段のうち異なる２つの手段を組み合わせることも可能である。
【０１９２】
また、上述した微細気泡含有水生成装置３〜８では、流水に気泡を発生させながら、流水に振動を印加したり、流水を渦流化したり、乱流化したりしているが、これに限定されるものではなく、電解素子によって流水中に気泡を発生させた後、その流水に振動を印加したり、その流水を渦流化したり、乱流化したりしてもよく、逆に、流水に振動を印加した後、その振動が印加されている流水中に気泡を発生させたり、流水を渦流化した後、その渦流化された流水中に気泡を発生させたり、流水を乱流化した後、その乱流化された流水中に気泡を発生させたりしてもよい。ただし、流水中に気泡を発生させた後、その流水に振動を印加したり、その流水を渦流化したり、乱流化したりする場合は、発生させた気泡同士の衝突を抑制するために、気泡を発生させた直後から、その流水に振動を印加したり、その流水を渦流化したり、乱流化したりする必要がある。
【産業上の利用可能性】
【０１９３】
本発明は、気泡径がナノオーダーの含オゾン酸素微細気泡、酸素微細気泡、水素微細気泡を含有する微細気泡含有水を製造する場合に利用することができる。
【符号の説明】
【０１９４】
１〜８  微細気泡含有水生成装置
１０、１０ｐ、１０ｎ  貯留槽
ＰＳ  陽極側貯留部
ＮＳ  陰極側貯留部
２０  水電解式気体発生手段
２１  電解素子
２２  陽極
２２ａ  陽極基材
２２ｂ  陽極触媒層
２３  陰極
２３ａ  陰極基材
２３ｂ  陰極触媒層
２４  固体高分子電解質膜
２５ａ、２５ｂ  支持部材
２６  直流電源装置
３０  振動印加手段
３１  振動子
３１ｐ  陽極側振動子
３１ｎ  陰極側振動子
３２  支持プレート
３３  発振装置
３４  ケース
４１、４２  送水管
４３  送水ポンプ
４４  流路形成体
ＰＣ  陽極側流水路
ＮＣ  陰極側流水路
５０  渦流化ユニット
５１  スクリュープロペラ
５２  駆動モータ
ＷＳＵ  送水ユニット
ＢＷＵ  微細気泡含有水生成ユニット
【図１】
2020179667.tif 000041
【図２】
2020179667.tif 000042
【図３】
2020179667.tif 000043
【図４】
2020179667.tif 000044
【図５】
2020179667.tif 000045
【図６】
2020179667.tif 000046
【図７】
2020179667.tif 000047
【図８】
2020179667.tif 000048
【図９】
2020179667.tif 000049
【図１０】
2020179667.tif 000050
【図１１】
2020179667.tif 000051
【図１２】
2020179667.tif 000052
【図１３】
2020179667.tif 000053
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
直径がナノオーダーの微細気泡の含有水を生成する微細気泡含有水生成装置であって、
水を貯留する貯留部と、
直流電圧を印加することで、水を電気分解して（酸素及び水素）または（含オゾン酸素及び水素）を発生させる、陽極と陰極との間に固体高分子電解質膜が挟み込まれた電解素子と、
前記貯留部に貯留された水に振動を印加する振動子と
を備え、
前記貯留部に貯留された水に浸漬した前記電解素子によって（酸素及び水素）若しくは（含オゾン酸素及び水素）を発生させながら、または、（酸素及び水素）若しくは（含オゾン酸素及び水素）を発生させた後、前記振動子が下式（１）を満足する振動を水に印加することにより、前記貯留部の貯留水中に発生させた（酸素及び水素）若しくは（含オゾン酸素及び水素）の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記陽極側貯留部内の貯留水に振動を印加する陽極側振動子と
を備え、
前記陽極側貯留部の貯留水中に、前記電解素子によって、酸素若しくは含オゾン酸素を発生させながら、または、酸素若しくは含オゾン酸素を発生させた後に、前記陽極側振動子が下式（１）を満足する振動を、前記陽極側貯留部内の貯留水に印加することにより、前記陽極側貯留部の貯留水中に発生させた酸素若しくは含オゾン酸素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部の貯留水中に発生させた水素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項４】
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部内の貯留水中に発生させた水素の気泡同士の衝突を抑制する請求項２に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項５】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路における前記電解素子近傍に設置された、前記流水路中の流水に振動を印加する振動子と
を備え、
前記電解素子によって前記流水路の流水中に（酸素及び水素）若しくは（含オゾン酸素及び水素）を発生させながら、その流水に前記振動子が下式（１）を満足する振動を印加する、または、前記電解素子によって前記流水路の流水中に（酸素及び水素）若しくは（含オゾン酸素及び水素）を発生させた後、その流水に前記振動子が下式（１）を満足する振動を印加する、または、前記振動子が下式（１）を満足する振動を前記流水路の流水に印加した後、その振動が印加された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項６】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路を流れる流水を乱流化する乱流化手段と
を備え、
前記電解素子によって前記流水路の流水中に（酸素及び水素）若しくは（含オゾン酸素及び水素）を発生させながら、その流水を前記乱流化手段が乱流化する、または、前記電解素子によって前記流水路の流水中に（酸素及び水素）若しくは（含オゾン酸素及び水素）を発生させた後、その流水を前記乱流化手段が乱流化する、または、前記乱流化手段が前記流水路の流水を乱流化した後、その乱流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
【請求項７】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路を流れる流水を渦流化する渦流化手段と
を備え、
前記電解素子によって前記流水路の流水中に（酸素及び水素）若しくは（含オゾン酸素及び水素）を発生させながら、その流水を前記渦流化手段が渦流化する、または、前記電解素子によって前記流水路の流水中に（酸素及び水素）若しくは（含オゾン酸素及び水素）を発生させた後、その流水を前記渦流化手段が渦流化する、または、前記渦流化手段が前記流水路の流水を渦流化した後、その渦流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
【請求項８】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路における陽極近傍に設置された、前記陽極側流水路中の流水に振動を印加する陽極側振動子と
を備え、
前記電解素子によって前記陽極側流水路の流水中に酸素若しくは含オゾン酸素を発生させながら、その流水に前記陽極側振動子が下式（１）を満足する振動を印加する、または、前記電解素子によって前記陽極側流水路の流水中に酸素若しくは含オゾン酸素を発生させた後、その流水に前記陽極側振動子が下式（１）を満足する振動を印加する、または、前記陽極側振動子が下式（１）を満足する振動を前記陽極側流水路の流水に印加した後、その振動が印加された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項９】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路を流れる流水を乱流化する乱流化手段と
を備え、
前記電解素子によって前記陽極側流水路の流水中に酸素若しくは含オゾン酸素を発生させながら、その流水を前記乱流化手段が乱流化する、または、前記電解素子によって前記陽極側流水路の流水中に酸素若しくは含オゾン酸素を発生させた後、その流水を前記乱流化手段が乱流化する、または、前記乱流化手段が前記陽極側流水路の流水を乱流化した後、その乱流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
【請求項１０】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路を流れる流水を渦流化する渦流化手段と
を備え、
前記電解素子によって前記陽極側流水路の流水中に酸素若しくは含オゾン酸素を発生させながら、その流水を前記渦流化手段が渦流化する、または、前記電解素子によって前記陽極側流水路の流水中に酸素若しくは含オゾン酸素を発生させた後、その流水を前記渦流化手段が渦流化する、または、前記渦流化手段が前記陽極側流水路の流水を渦流化した後、その渦流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
【請求項１１】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路における陰極近傍に設置された、前記陰極側流水路中の流水に振動を印加する陰極側振動子と
を備え、
前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路の流水中に発生させた水素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路を流れる流水を乱流化する乱流化手段と
を備え、
前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させることにより、前記陰極側流水路の流水中に発生させた水素の気泡同士の衝突を抑制することを特徴とする微細気泡含有水生成装置。
【請求項１３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路を流れる流水を渦流化する渦流化手段と
を備え、
前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させることにより、前記陰極側流水路の流水中に発生させた水素の気泡同士の衝突を抑制することを特徴とする微細気泡含有水生成装置。
【請求項１４】
前記電解素子の陽極から区画された陰極が流水と接触する陰極側流水路と、
前記陰極側流水路における陰極近傍に設置された、前記陰極側流水路中の流水に振動を印加する陰極側振動子と
を備え、
前記電解素子によって前記陰極側流水路の流水中に水素を発生させながら、その流水に前記陰極側振動子が下式（１）を満足する振動を印加する、または、前記電解素子によって前記陰極側流水路の流水中に水素を発生させた後、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路内の流水中に発生させた水素の気泡同士の衝突を抑制する請求項８、９または１０に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１５】
前記電解素子の陽極から区画された陰極が流水と接触する陰極側流水路と、
前記陰極側流水路を流れる流水を乱流化する乱流化手段と
を備え、
前記電解素子によって前記陰極側流水路の流水中に水素を発生させながら、その流水を前記乱流化手段が乱流化する、または、前記電解素子によって前記陰極側流水路の流水中に水素を発生させた後、その流水を前記乱流化手段が乱流化する、または、前記乱流化手段が前記陰極側流水路の流水を乱流化した後、その乱流化された流水中に前記電解素子によって水素を発生させることにより、前記陰極側流水路内の流水中に発生させた水素の気泡同士の衝突を抑制する請求項８、９または１０に記載の微細気泡含有水生成装置。
【請求項１６】
前記電解素子の陽極から区画された陰極が流水と接触する陰極側流水路と、
前記陰極側流水路を流れる流水を渦流化する渦流化手段と
を備え、
前記電解素子によって前記陰極側流水路の流水中に水素を発生させながら、その流水を前記渦流化手段が渦流化する、または、前記電解素子によって前記陰極側流水路の流水中に水素を発生させた後、その流水を前記渦流化手段が渦流化する、または、前記渦流化手段が前記陰極側流水路の流水を渦流化した後、その渦流化された流水中に前記電解素子によって水素を発生させることにより、前記陰極側流水路内の流水中に発生させた水素の気泡同士の衝突を抑制する請求項８、９または１０に記載の微細気泡含有水生成装置。
【請求項１７】
水に印加する振動の強度Ｉが１．００×１０１３［Ｗ／ｍ２］以上である請求項１、２、３、４、５、８、１１または１４に記載の微細気泡含有水生成装置。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
直径がナノオーダーの微細気泡の含有水を生成する微細気泡含有水生成装置であって、
水を貯留する貯留部と、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子が浸漬された前記貯留部に貯留された水に振動を印加する振動子と
を備え、
前記貯留部に貯留された水に浸漬した前記電解素子によって（酸素及び水素）若しくは（含オゾン酸素及び水素）を発生させながら、または、（酸素及び水素）若しくは（含オゾン酸素及び水素）を発生させた後、前記振動子が下式（１）を満足する振動を水に印加することにより、前記貯留部の貯留水中に発生させた（酸素及び水素）若しくは（含オゾン酸素及び水素）の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記陽極側貯留部内の貯留水に振動を印加する陽極側振動子と
を備え、
前記陽極側貯留部の貯留水中に、前記電解素子によって、酸素若しくは含オゾン酸素を発生させながら、または、酸素若しくは含オゾン酸素を発生させた後に、前記陽極側振動子が下式（１）を満足する振動を、前記陽極側貯留部内の貯留水に印加することにより、前記陽極側貯留部の貯留水中に発生させた酸素若しくは含オゾン酸素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部と、
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部の貯留水中に発生させた水素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項４】
前記電解素子の陽極から区画された陰極が貯留水と接触する陰極側貯留部と、
前記陰極側貯留部内の貯留水に振動を印加する陰極側振動子と
を備え、
前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部内の貯留水中に発生させた水素の気泡同士の衝突を抑制する請求項２に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項５】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
前記流水路における前記電解素子近傍に設置された、前記流水路中の前記電解素子を通過する流水に振動を印加する振動子と
を備え、
前記電解素子によって前記流水路の流水中に（酸素及び水素）若しくは（含オゾン酸素及び水素）を発生させながら、その流水に前記振動子が下式（１）を満足する振動を印加する、または、前記振動子が下式（１）を満足する振動を前記流水路の流水に印加した後、その振動が印加された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項６】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
乱流化された流水が前記電解素子を通過するように、前記流水路を流れる流水を乱流化する乱流化手段と
を備え、
前記電解素子によって前記流水路の流水中に（酸素及び水素）若しくは（含オゾン酸素及び水素）を発生させながら、その流水を前記乱流化手段が乱流化する、または、前記乱流化手段が前記流水路の流水を乱流化した後、その乱流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
【請求項７】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極及び陽極が流水と接触する流水路と、
渦流化された流水が前記電解素子を通過するように、前記流水路を流れる流水を渦流化する渦流化手段と
を備え、
前記電解素子によって前記流水路の流水中に（酸素及び水素）若しくは（含オゾン酸素及び水素）を発生させながら、その流水を前記渦流化手段が渦流化する、または、前記渦流化手段が前記流水路の流水を渦流化した後、その渦流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴とする微細気泡含有水生成装置。
【請求項８】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
前記陽極側流水路における陽極近傍に設置された、前記陽極側流水路中の前記電解素子の陽極を通過する流水に振動を印加する陽極側振動子と
を備え、
前記電解素子によって前記陽極側流水路の流水中に酸素若しくは含オゾン酸素を発生させながら、その流水に前記陽極側振動子が下式（１）を満足する振動を印加する、または、前記陽極側振動子が下式（１）を満足する振動を前記陽極側流水路の流水に印加した後、その振動が印加された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項９】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
乱流化された流水が前記電解素子の陽極を通過するように、前記陽極側流水路を流れる流水を乱流化する乱流化手段と
を備え、
前記電解素子によって前記陽極側流水路の流水中に酸素若しくは含オゾン酸素を発生させながら、その流水を前記乱流化手段が乱流化する、または、前記乱流化手段が前記陽極側流水路の流水を乱流化した後、その乱流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
【請求項１０】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が流水と接触する陽極側流水路と、
渦流化された流水が前記電解素子の陽極を通過するように、前記陽極側流水路を流れる流水を渦流化する渦流化手段と
を備え、
前記電解素子によって前記陽極側流水路の流水中に酸素若しくは含オゾン酸素を発生させながら、その流水を前記渦流化手段が渦流化する、または、前記渦流化手段が前記陽極側流水路の流水を渦流化した後、その渦流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴とする微細気泡含有水生成装置。
【請求項１１】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
前記陰極側流水路における陰極近傍に設置された、前記陰極側流水路中の前記電解素子の陰極を通過する流水に振動を印加する陰極側振動子と
を備え、
前記電解素子によって前記陰極側流水路の流水中に水素を発生させながら、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路の流水中に発生させた水素の気泡同士の衝突を抑制することを特徴とする微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１２】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
乱流化された流水が前記電解素子の陰極を通過するように、前記陰極側流水路を流れる流水を乱流化する乱流化手段と
を備え、
前記電解素子によって前記陰極側流水路の流水中に水素を発生させながら、その流水を前記乱流化手段が乱流化する、または、前記乱流化手段が前記陰極側流水路の流水を乱流化した後、その乱流化された流水中に前記電解素子によって水素を発生させることにより、前記陰極側流水路の流水中に発生させた水素の気泡同士の衝突を抑制することを特徴とする微細気泡含有水生成装置。
【請求項１３】
直径がナノオーダーの微細気泡の含有水を生成する微細気泡含有水生成装置であって、
直流電圧を印加することで、水を電気分解して（酸素及び水素）または（含オゾン酸素及び水素）を発生させる、陽極と陰極との間に固体高分子電解質膜が挟み込まれた電解素子と、
前記電解素子の陰極から区画された陽極が貯留水と接触する陽極側貯留部または流水と接触する陽極側流水路と、
前記電解素子の陽極から区画された陰極が流水と接触する陰極側流水路と、
渦流化された流水が前記電解素子の陰極を通過するように、前記陰極側流水路を流れる流水を渦流化する渦流化手段と
を備え、
前記電解素子によって前記陰極側流水路の流水中に水素を発生させながら、その流水を前記渦流化手段が渦流化する、または、前記渦流化手段が前記陰極側流水路の流水を渦流化した後、その渦流化された流水中に前記電解素子によって水素を発生させることにより、前記陰極側流水路の流水中に発生させた水素の気泡同士の衝突を抑制することを特徴とする微細気泡含有水生成装置。
【請求項１４】
前記電解素子の陽極から区画された陰極が流水と接触する陰極側流水路と、
前記陰極側流水路における陰極近傍に設置された、前記陰極側流水路中の前記電解素子の陰極を通過する流水に振動を印加する陰極側振動子と
を備え、
前記電解素子によって前記陰極側流水路の流水中に水素を発生させながら、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路内の流水中に発生させた水素の気泡同士の衝突を抑制する請求項８、９または１０に記載の微細気泡含有水生成装置。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【請求項１５】
前記電解素子の陽極から区画された陰極が流水と接触する陰極側流水路と、
乱流化された流水が前記電解素子の陰極を通過するように、前記陰極側流水路を流れる流水を乱流化する乱流化手段と
を備え、
前記電解素子によって前記陰極側流水路の流水中に水素を発生させながら、その流水を前記乱流化手段が乱流化する、または、前記乱流化手段が前記陰極側流水路の流水を乱流化した後、その乱流化された流水中に前記電解素子によって水素を発生させることにより、前記陰極側流水路内の流水中に発生させた水素の気泡同士の衝突を抑制する請求項８、９または１０に記載の微細気泡含有水生成装置。
【請求項１６】
前記電解素子の陽極から区画された陰極が流水と接触する陰極側流水路と、
渦流化された流水が前記電解素子の陰極を通過するように、前記陰極側流水路を流れる流水を渦流化する渦流化手段と
を備え、
前記電解素子によって前記陰極側流水路の流水中に水素を発生させながら、その流水を前記渦流化手段が渦流化する、または、前記渦流化手段が前記陰極側流水路の流水を渦流化した後、その渦流化された流水中に前記電解素子によって水素を発生させることにより、前記陰極側流水路内の流水中に発生させた水素の気泡同士の衝突を抑制する請求項８、９または１０に記載の微細気泡含有水生成装置。
【請求項１７】
水に印加する振動の強度Ｉが１．００×１０１３[Ｗ／ｍ２]以上である請求項１、２、３、４、５、８、１１または１４に記載の微細気泡含有水生成装置。
【手続補正２】
【補正対象書類名】明細書
【補正対象項目名】０００７
【補正方法】変更
【補正の内容】
【０００７】
上記の課題を解決するため、請求項１に係る発明は、直径がナノオーダーの微細気泡の含有水を生成する微細気泡含有水生成装置であって、水を貯留する貯留部と、直流電圧を印加することで、水を電気分解して（酸素及び水素）または（含オゾン酸素及び水素）を発生させる、陽極と陰極との間に固体高分子電解質膜が挟み込まれた電解素子と、前記電解素子が浸漬された前記貯留部に貯留された水に振動を印加する振動子とを備え、前記貯留部に貯留された水に浸漬した前記電解素子によって（酸素及び水素）若しくは（含オゾン酸素及び水素）を発生させながら、または、（酸素及び水素）若しくは（含オゾン酸素及び水素）を発生させた後、前記振動子が下式（１）を満足する振動を水に印加することにより、前記貯留部の貯留水中に発生させた（酸素及び水素）若しくは（含オゾン酸素及び水素）の気泡同士の衝突を抑制することを特徴とする微細気泡含有水生成装置を提供するものである。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正３】
【補正対象書類名】明細書
【補正対象項目名】０００８
【補正方法】変更
【補正の内容】
【０００８】
また、請求項２に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部と、前記陽極側貯留部内の貯留水に振動を印加する陽極側振動子とを備え、前記陽極側貯留部の貯留水中に、前記電解素子によって、酸素若しくは含オゾン酸素を発生させながら、または、酸素若しくは含オゾン酸素を発生させた後に、前記陽極側振動子が下式（１）を満足する振動を、前記陽極側貯留部内の貯留水に印加することにより、前記陽極側貯留部の貯留水中に発生させた酸素若しくは含オゾン酸素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正４】
【補正対象書類名】明細書
【補正対象項目名】０００９
【補正方法】変更
【補正の内容】
【０００９】
また、請求項３に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部と、前記電解素子の陽極から区画された陰極が貯留水と接触する陰極側貯留部と、前記陰極側貯留部内の貯留水に振動を印加する陰極側振動子とを備え、前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部の貯留水中に発生させた水素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正５】
【補正対象書類名】明細書
【補正対象項目名】００１０
【補正方法】変更
【補正の内容】
【００１０】
また、請求項４に係る発明は、請求項２に係る発明の微細気泡含有水生成装置において、前記電解素子の陽極から区画された陰極が貯留水と接触する陰極側貯留部と、前記陰極側貯留部内の貯留水に振動を印加する陰極側振動子とを備え、前記陰極側貯留部の貯留水中に、前記電解素子によって、水素を発生させながら、または、水素を発生させた後に、前記陰極側振動子が下式（１）を満足する振動を、前記陰極側貯留部内の貯留水に印加することにより、前記陰極側貯留部内の貯留水中に発生させた水素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正６】
【補正対象書類名】明細書
【補正対象項目名】００１１
【補正方法】変更
【補正の内容】
【００１１】
また、請求項５に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、前記流水路における前記電解素子近傍に設置された、前記流水路中の前記電解素子を通過する流水に振動を印加する振動子とを備え、前記電解素子によって前記流水路の流水中に（酸素及び水素）若しくは（含オゾン酸素及び水素）を発生させながら、その流水に前記振動子が下式（１）を満足する振動を印加する、または、前記振動子が下式（１）を満足する振動を前記流水路の流水に印加した後、その振動が印加された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正７】
【補正対象書類名】明細書
【補正対象項目名】００１２
【補正方法】変更
【補正の内容】
【００１２】
また、請求項６に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、乱流化された流水が前記電解素子を通過するように、前記流水路を流れる流水を乱流化する乱流化手段とを備え、前記電解素子によって前記流水路の流水中に（酸素及び水素）若しくは（含オゾン酸素及び水素）を発生させながら、その流水を前記乱流化手段が乱流化する、または、前記乱流化手段が前記流水路の流水を乱流化した後、その乱流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴としている。
【手続補正８】
【補正対象書類名】明細書
【補正対象項目名】００１３
【補正方法】変更
【補正の内容】
【００１３】
また、請求項７に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極及び陽極が流水と接触する流水路と、渦流化された流水が前記電解素子を通過するように、前記流水路を流れる流水を渦流化する渦流化手段とを備え、前記電解素子によって前記流水路の流水中に（酸素及び水素）若しくは（含オゾン酸素及び水素）を発生させながら、その流水を前記渦流化手段が渦流化する、または、前記渦流化手段が前記流水路の流水を渦流化した後、その渦流化された流水中に前記電解素子によって（酸素及び水素）若しくは（含オゾン酸素及び水素）を発生させることにより、前記流水路の流水中に発生させた（酸素及び水素）若しくは（含オゾン酸素及び水素）の気泡同士の衝突を抑制することを特徴としている。
【手続補正９】
【補正対象書類名】明細書
【補正対象項目名】００１４
【補正方法】変更
【補正の内容】
【００１４】
また、請求項８に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、前記陽極側流水路における陽極近傍に設置された、前記陽極側流水路中の前記電解素子の陽極を通過する流水に振動を印加する陽極側振動子とを備え、前記電解素子によって前記陽極側流水路の流水中に酸素若しくは含オゾン酸素を発生させながら、その流水に前記陽極側振動子が下式（１）を満足する振動を印加する、または、前記陽極側振動子が下式（１）を満足する振動を前記陽極側流水路の流水に印加した後、その振動が印加された流水中に前記電解素子によって酸素若しくは含オゾン酸素を発生させることにより、前記陽極側流水路の流水中に発生させた酸素若しくは含オゾン酸素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正１０】
【補正対象書類名】明細書
【補正対象項目名】００１５
【補正方法】変更
【補正の内容】
【００１５】
また、請求項９に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、乱流化された流水が前記電解素子の陽極を通過するように、前記陽極側流水路を流れる流水を乱流化する乱流化手段とを備え、前記電解素子によって前記陽極側流水路の流水中に酸素若しくは含オゾン酸素を発生させながら、その流水を前記乱流化手段が乱流化する、または、前記乱流化手段が前記陽極側流水路の流水を乱流化した後、その乱流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴としている。
【手続補正１１】
【補正対象書類名】明細書
【補正対象項目名】００１６
【補正方法】変更
【補正の内容】
【００１６】
また、請求項１０に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が流水と接触する陽極側流水路と、渦流化された流水が前記電解素子の陽極を通過するように、前記陽極側流水路を流れる流水を渦流化する渦流化手段とを備え、前記電解素子によって前記陽極側流水路の流水中に酸素若しくは含オゾン酸素を発生させながら、その流水を前記渦流化手段が渦流化する、または、前記渦流化手段が前記陽極側流水路の流水を渦流化した後、その渦流化された流水中に前記電解素子によって酸素若しくは含オゾン酸素を発生させることにより、前記陽極側流水路の流水中に発生させた酸素若しくは含オゾン酸素の気泡同士の衝突を抑制することを特徴としている。
【手続補正１２】
【補正対象書類名】明細書
【補正対象項目名】００１７
【補正方法】変更
【補正の内容】
【００１７】
また、請求項１１に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、前記陰極側流水路における陰極近傍に設置された、前記陰極側流水路中の前記電解素子の陰極を通過する流水に振動を印加する陰極側振動子とを備え、前記電解素子によって前記陰極側流水路の流水中に水素を発生させながら、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路の流水中に発生させた水素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正１３】
【補正対象書類名】明細書
【補正対象項目名】００１８
【補正方法】変更
【補正の内容】
【００１８】
また、請求項１２に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、乱流化された流水が前記電解素子の陰極を通過するように、前記陰極側流水路を流れる流水を乱流化する乱流化手段とを備え、前記電解素子によって前記陰極側流水路の流水中に水素を発生させながら、その流水を前記乱流化手段が乱流化する、または、前記乱流化手段が前記陰極側流水路の流水を乱流化した後、その乱流化された流水中に前記電解素子によって水素を発生させることにより、前記陰極側流水路の流水中に発生させた水素の気泡同士の衝突を抑制することを特徴としている。
【手続補正１４】
【補正対象書類名】明細書
【補正対象項目名】００１９
【補正方法】変更
【補正の内容】
【００１９】
また、請求項１３に係る発明は、直径がナノオーダーの微細気泡の含有水を生成する微細気泡含有水生成装置であって、直流電圧を印加することで、水を電気分解して（酸素及び水素）または（含オゾン酸素及び水素）を発生させる、陽極と陰極との間に固体高分子電解質膜が挟み込まれた電解素子と、前記電解素子の陰極から区画された陽極が貯留水と接触する陽極側貯留部または流水と接触する陽極側流水路と、前記電解素子の陽極から区画された陰極が流水と接触する陰極側流水路と、渦流化された流水が前記電解素子の陰極を通過するように、前記陰極側流水路を流れる流水を渦流化する渦流化手段とを備え、前記電解素子によって前記陰極側流水路の流水中に水素を発生させながら、その流水を前記渦流化手段が渦流化する、または、前記渦流化手段が前記陰極側流水路の流水を渦流化した後、その渦流化された流水中に前記電解素子によって水素を発生させることにより、前記陰極側流水路の流水中に発生させた水素の気泡同士の衝突を抑制することを特徴としている。
【手続補正１５】
【補正対象書類名】明細書
【補正対象項目名】００２０
【補正方法】変更
【補正の内容】
【００２０】
また、請求項１４に係る発明は、請求項８、９または１０に係る発明の微細気泡含有水生成装置において、前記電解素子の陽極から区画された陰極が流水と接触する陰極側流水路と、前記陰極側流水路における陰極近傍に設置された、前記陰極側流水路中の前記電解素子の陰極を通過する流水に振動を印加する陰極側振動子とを備え、前記電解素子によって前記陰極側流水路の流水中に水素を発生させながら、その流水に前記陰極側振動子が下式（１）を満足する振動を印加する、または、前記陰極側振動子が下式（１）を満足する振動を前記陰極側流水路の流水に印加した後、その振動が印加された流水中に前記電解素子によって水素を発生させることにより、前記陰極側流水路内の流水中に発生させた水素の気泡同士の衝突を抑制することを特徴としている。
Ｉ＝（２π×ｆ×Ａ）２×Ｚ０／２≧８．５６×１０１２  ・・・（１）
Ｉ：強度［Ｗ／ｍ２］
ｆ：周波数［Ｈｚ］
Ａ：振幅［ｍ］
Ｚ０：水の音響インピーダンス（＝１．６×１０６［ｋｇ／（ｃｍ２・ｓ）］）
【手続補正１６】
【補正対象書類名】明細書
【補正対象項目名】００２１
【補正方法】変更
【補正の内容】
【００２１】
また、請求項１５に係る発明は、請求項８、９または１０に係る発明の微細気泡含有水生成装置において、前記電解素子の陽極から区画された陰極が流水と接触する陰極側流水路と、乱流化された流水が前記電解素子の陰極を通過するように、前記陰極側流水路を流れる流水を乱流化する乱流化手段とを備え、前記電解素子によって前記陰極側流水路の流水中に水素を発生させながら、その流水を前記乱流化手段が乱流化する、または、前記乱流化手段が前記陰極側流水路の流水を乱流化した後、その乱流化された流水中に前記電解素子によって水素を発生させることにより、前記陰極側流水路内の流水中に発生させた水素の気泡同士の衝突を抑制することを特徴としている。
【手続補正１７】
【補正対象書類名】明細書
【補正対象項目名】００２２
【補正方法】変更
【補正の内容】
【００２２】
また、請求項１６に係る発明は、請求項８、９または１０に係る発明の微細気泡含有水生成装置において、前記電解素子の陽極から区画された陰極が流水と接触する陰極側流水路と、渦流化された流水が前記電解素子の陰極を通過するように、前記陰極側流水路を流れる流水を渦流化する渦流化手段とを備え、前記電解素子によって前記陰極側流水路の流水中に水素を発生させながら、その流水を前記渦流化手段が渦流化する、または、前記渦流化手段が前記陰極側流水路の流水を渦流化した後、その渦流化された流水中に前記電解素子によって水素を発生させることにより、前記陰極側流水路内の流水中に発生させた水素の気泡同士の衝突を抑制することを特徴としている。
【手続補正１８】
【補正対象書類名】明細書
【補正対象項目名】００２４
【補正方法】変更
【補正の内容】
【００２４】
以上のように、請求項１に係る発明の微細気泡含有水生成装置では、静止水中の電解素子に直流電圧を印加することで（酸素及び水素）若しくは（含オゾン酸素及び水素）を発生させながら、または、（酸素及び水素）若しくは（含オゾン酸素及び水素）を発生させた後、電解素子が浸漬された静止水に強度Ｉが８．５６×１０１２[Ｗ／ｍ２]以上の振動を印加することで、請求項５〜７に係る発明の微細気泡含有水生成装置では、電解素子によって流水中に（酸素及び水素）若しくは（含オゾン酸素及び水素）を発生させながら、電解素子を通過する流水に強度Ｉが８．５６×１０１２[Ｗ／ｍ２]以上の振動を印加したり、乱流化された流水や渦流化された流水が電解素子を通過するように、その流水を乱流化したり、渦流化したりすることで、または、強度Ｉが８．５６×１０１２[Ｗ／ｍ２]以上の振動を、電解素子を通過する流水に印加したり、乱流化された流水や渦流化された流水が電解素子を通過するように、流水を乱流化したり、渦流化したりした後、その流水中に、電解素子によって（酸素及び水素）若しくは（含オゾン酸素及び水素）を発生させることで、電解素子によって発生させた（酸素及び水素）若しくは（含オゾン酸素及び水素）の気泡同士の衝突が抑制されるので、気泡同士が合体して大きくなりにくく、直径がナノオーダーの（酸素及び水素）若しくは（含オゾン酸素及び水素）の微細気泡として静止水中または流水中に保持することができる。
【手続補正１９】
【補正対象書類名】明細書
【補正対象項目名】００２５
【補正方法】変更
【補正の内容】
【００２５】
また、請求項２に係る発明の微細気泡含有水生成装置では、陰極から区画された陽極が陽極側貯留部内の静止水に接触する電解素子に直流電圧を印加することで、陽極側貯留部内の静止水中に酸素若しくは含オゾン酸素を発生させながら、または、酸素若しくは含オゾン酸素を発生させた後、強度Ｉが８．５６×１０１２[Ｗ／ｍ２]以上の振動を陽極側貯留部内の静止水に印加することで、請求項８〜１０に係る発明の微細気泡含有水生成装置では、陰極から区画された陽極が陽極側流水路内の流水に接触する電解素子によって陽極側流水路内の流水中に酸素若しくは含オゾン酸素を発生させながら、電解素子の陽極を通過する流水に強度Ｉが８．５６×１０１２[Ｗ／ｍ２]以上の振動を印加したり、乱流化された流水や渦流化された流水が電解素子の陽極を通過するように、その流水を乱流化したり、渦流化したりすることで、または、強度Ｉが８．５６×１０１２[Ｗ／ｍ２]以上の振動を陽極側流水路内の電解素子の陽極を通過する流水に印加したり、乱流化された流水や渦流化された流水が電解素子の陽極を通過するように、陽極側流水路内の流水を乱流化したり、渦流化したりした後、その流水中に、陰極から区画された陽極が陽極側流水路内の流水に接触する電解素子によって酸素若しくは含オゾン酸素を発生させることで、電解素子によって発生させた酸素若しくは含オゾン酸素の気泡同士の衝突が抑制されるので、気泡同士が合体して大きくなりにくく、直径がナノオーダーの酸素若しくは含オゾン酸素の微細気泡だけを陽極側貯留部内の静止水中や陽極側流水路内の流水中に保持することができる。
【手続補正２０】
【補正対象書類名】明細書
【補正対象項目名】００２６
【補正方法】変更
【補正の内容】
【００２６】
また、請求項３に係る発明の微細気泡含有水生成装置では、陽極から区画された陰極が陰極側貯留部内の静止水に接触する電解素子に直流電圧を印加することで、陰極側貯留部内の静止水中に水素を発生させながら、または、水素を発生させた後、強度Ｉが８．５６×１０１２[Ｗ／ｍ２]以上の振動を陰極側貯留部内の静止水に印加することで、請求項１１〜１３に係る発明の微細気泡含有水生成装置では、陽極から区画された陰極が陰極側流水路内の流水に接触する電解素子によって陰極側流水路内の流水中に水素を発生させながら、電解素子の陰極を通過する流水に強度Ｉが８．５６×１０１２[Ｗ／ｍ２]以上の振動を印加したり、乱流化された流水や渦流化された流水が電解素子の陰極を通過するように、その流水を乱流化したり、渦流化したりすることで、または、強度Ｉが８．５６×１０１２[Ｗ／ｍ２]以上の振動を陰極側流水路内の電解素子の陰極を通過する流水に印加したり、乱流化された流水や渦流化された流水が電解素子の陰極を通過するように、陰極側流水路内の流水を乱流化したり、渦流化したりした後、その流水中に、陽極から区画された陰極が陰極側流水路内の流水に接触する電解素子によって水素を発生させることで、電解素子によって発生させた水素の気泡同士の衝突が抑制されるので、気泡同士が合体して大きくなりにくく、直径がナノオーダーの水素の微細気泡だけを陰極側貯留部内の静止水中や陰極側流水路内の流水中に保持することができる。
【国際調査報告】
2020179667.tif 000054
2020179667.tif 000055
2020179667.tif 000056
2020179667.tif 000057